(57)【特許請求の範囲】
【請求項１】
コントロールノードとｅＮＢとＨｅＮＢとを具備するＬＴＥアクセス網と、ＩＭＳとフェムトセル用基地局とを具備する３Ｇフェムト網とを有する通信システムにおいて、
前記ＩＭＳは、前記コントロールノードとの通信の際に、前記コントロールノードに対して、該ＩＭＳ内のサーバをＭＳＣとして認識させる仮想ＭＳＣ手段を有し、
前記仮想ＭＳＣ手段は、前記ｅＮＢおよび前記ＨｅＮＢと、前記フェムトセル用基地局との間で回線交換切り替えを行う際、前記コントロールノードとの間で前記回線交換切り替えのための制御情報のメッセージを送受信することを特徴とする通信システム。
【請求項２】
請求項１に記載の通信システムにおいて、
前記仮想ＭＳＣ手段は、所定のプロトコルを用いて、前記ＩＭＳ内のサーバをＭＳＣとして認識させることを特徴とする通信システム。
【請求項３】
請求項２に記載の通信システムにおいて、
前記プロトコルは、ＳＩＰであり、
前記サーバは、ＳＩＰサーバであることを特徴とする通信システム。
【請求項４】
請求項３に記載の通信システムにおいて、
前記コントロールノードは、
切り替えインタフェースを制御するインタフェース制御部と、
前記インタフェース制御部が制御する切り替えインタフェースを、前記ＳＩＰを用いて前記回線交換切り替えを制御する第１のＳＩＰ制御部とを有し、
前記ＳＩＰサーバは、前記ＳＩＰを用いて前記回線交換切り替えを制御する第２のＳＩＰ制御部を有することを特徴とする通信システム。
【請求項５】
請求項３に記載の通信システムにおいて、
前記コントロールノードと前記ＳＩＰサーバとは、変換サーバを介して接続され、
前記変換サーバは、
前記コントロールノードとの間で、切り替えインタフェースを制御するインタフェース制御部と、
前記ＳＩＰサーバとの間で、前記インタフェース制御部が制御する切り替えインタフェースを、前記ＳＩＰを用いて前記回線交換切り替えを制御するＳＩＰ制御部とを有することを特徴とする通信システム。
【請求項６】
ＬＴＥアクセス網のコントロールノードであって、
３Ｇフェムト網の通信エリアとＬＴＥ網の通信エリアとの両エリアに存在する３Ｇ／ＬＴＥデュアル端末からの音声発信または該３Ｇ／ＬＴＥデュアル端末への音声着信があった場合、３Ｇフェムト網のＩＭＳとの間で、当該コントロールノードから前記ＩＭＳへ回線交換切り替えを行う切り替えインタフェースを制御するインタフェース制御部と、
前記ＩＭＳとの間で、ＳＩＰを用いて前記回線交換切り替えを制御するＳＩＰ制御部とを有するコントロールノード。
【請求項７】
３Ｇフェムト網の通信エリアとＬＴＥ網の通信エリアとの両エリアに存在する３Ｇ／ＬＴＥデュアル端末からの音声発信または該３Ｇ／ＬＴＥデュアル端末への音声着信があった場合、ＬＴＥアクセス網のコントロールノードとの間で、前記コントロールノードから前記３Ｇフェムト網のＩＭＳへ回線交換切り替えを行う切り替えインタフェースを制御するインタフェース制御部と、
前記ＩＭＳとの間で、ＳＩＰを用いて前記回線交換切り替えを制御するＳＩＰ制御部とを有する変換サーバ。
【請求項８】
３Ｇフェムト網の通信エリアとＬＴＥ網の通信エリアとの両エリアに存在する３Ｇ／ＬＴＥデュアル端末からの音声発信または該３Ｇ／ＬＴＥデュアル端末への音声着信があったかどうかを判定するステップと、
前記音声発信または前記音声着信があった場合、所定のプロトコルを用いて、ＬＴＥアクセス網のコントロールノードから前記３Ｇフェムト網のＩＭＳへ、前記音声発信または前記音声着信の回線交換切り替えを行うステップとを行う通信方法。
【発明の詳細な説明】
【技術分野】
【０００１】
本発明は、音声通信を行う通信システム、コントロールノード、変換サーバおよび通信方法に関する。
【背景技術】
【０００２】
近年、ＬＴＥ（Ｌｏｎｇ  Ｔｅｒｍ  Ｅｖｏｌｕｔｉｏｎ）が、新たな携帯端末の通信規格として、導入されてきている。このＬＴＥにおいては、従来の回線交換機能（音声通話機能）を持っていない。
【０００３】
そこで、ＬＴＥ機能を持った携帯端末が、３Ｇ（３ｒｄ  Ｇｅｎｅｒａｔｉｏｎ）のモバイルネットワーク（携帯電話回線）内に存在し、当該携帯端末への音声着信があった場合、当該音声着信をＬＴＥのネットワークから３Ｇのネットワークへ切り替え、音声通話を実現させる技術が考えられている（例えば、非特許文献１参照。）。これは、当該携帯端末からの音声発信についても、同様である。この切り替えを、ＣＳＦＢ（Ｃｉｒｃｕｉｔ  Ｓｗｉｔｃｈｅｄ  ＦａｌｌＢａｃｋ）という。
【０００４】
また、最近では、通信エリアが、一般的な３Ｇの無線基地局よりも狭い３Ｇフェムトセル（フェムトエリア）である３Ｇフェムト基地局が考えられている。この３Ｇフェムト基地局は、一般的に半径数十メートル程度の範囲を通信エリアとし、オフィス等の室内に設置されている小型の無線基地局である。
【先行技術文献】
【非特許文献】
【０００５】
【非特許文献１】３ＧＰＰ  ＴＳ２３．２７２  Ｖ１．０．０
【発明の概要】
【発明が解決しようとする課題】
【０００６】
ＬＴＥ機能を持った携帯端末が、３Ｇフェムトエリアに存在し、当該携帯端末への音声着信があった場合、または当該携帯端末から発信を行おうとした場合、ＬＴＥと３Ｇフェムトとの間では、上述したＣＳＦＢの手順が確立されていないため、音声通話ができないという問題点がある。
【０００７】
本発明の目的は、上述した課題を解決する通信システム、コントロールノード、変換サーバおよび通信方法を提供することである。
【課題を解決するための手段】
【０００８】
本発明の通信システムは、
コントロールノードとｅＮＢとＨｅＮＢとを具備するＬＴＥアクセス網と、ＩＭＳとフェムトセル用基地局とを具備する３Ｇフェムト網とを有する通信システムにおいて、
前記ＩＭＳは、前記コントロールノードとの通信の際に、前記コントロールノードに対して、該ＩＭＳ内のサーバをＭＳＣとして認識させる仮想ＭＳＣ手段を有し、
前記仮想ＭＳＣ手段は、前記ｅＮＢおよび前記ＨｅＮＢと、前記フェムトセル用基地局との間で回線交換切り替えを行う際、前記コントロールノードとの間で前記回線交換切り替えのための制御情報のメッセージを送受信することを特徴とする。
【０００９】
また、本発明のコントロールノードは、
ＬＴＥアクセス網のコントロールノードであって、
３Ｇフェムト網の通信エリアとＬＴＥ網の通信エリアとの両エリアに存在する３Ｇ／ＬＴＥデュアル端末からの音声発信または該３Ｇ／ＬＴＥデュアル端末への音声着信があった場合、３Ｇフェムト網のＩＭＳとの間で、当該コントロールノードから前記ＩＭＳへ回線交換切り替えを行う切り替えインタフェースを制御するインタフェース制御部と、
前記ＩＭＳとの間で、ＳＩＰを用いて前記回線交換切り替えを制御するＳＩＰ制御部とを有する。
【００１０】
また、本発明の変換サーバは、
３Ｇフェムト網の通信エリアとＬＴＥ網の通信エリアとの両エリアに存在する３Ｇ／ＬＴＥデュアル端末からの音声発信または該３Ｇ／ＬＴＥデュアル端末への音声着信があった場合、ＬＴＥアクセス網のコントロールノードとの間で、前記コントロールノードから前記３Ｇフェムト網のＩＭＳへ回線交換切り替えを行う切り替えインタフェースを制御するインタフェース制御部と、
前記ＩＭＳとの間で、ＳＩＰを用いて前記回線交換切り替えを制御するＳＩＰ制御部とを有する。
【００１１】
また、本発明の通信方法は、
３Ｇフェムト網の通信エリアとＬＴＥ網の通信エリアとの両エリアに存在する３Ｇ／ＬＴＥデュアル端末からの音声発信または該３Ｇ／ＬＴＥデュアル端末への音声着信があったかどうかを判定するステップと、
前記音声発信または前記音声着信があった場合、所定のプロトコルを用いて、ＬＴＥアクセス網のコントロールノードから前記３Ｇフェムト網のＩＭＳへ、前記音声発信または前記音声着信の回線交換切り替えを行うステップとを行う。
【発明の効果】
【００１２】
以上説明したように、本発明においては、３Ｇフェムトエリアに存在する３Ｇ／ＬＴＥデュアル端末からの音声発信または３Ｇ／ＬＴＥデュアル端末への音声着信があった場合、音声通話を行うことができる。
【図面の簡単な説明】
【００１３】
【図１】本発明の通信システムの実施の一形態を示す図である。
【図２】図１に示したＭＭＥおよびＰ−ＣＳＣＦの内部構成の一例を示す図である。
【図３】本発明の通信システムの他の実施の形態を示す図である。
【図４】図３に示したＭＭＥ、Ｐ−ＣＳＣＦおよび変換サーバの内部構成の一例を示す図である。
【図５】図１に示した通信システムにおける通信方法のうち、ＵＥの位置登録の処理を説明するためのシーケンス図である。
【図６Ａ】図１に示した通信システムにおける通信方法のうち、３Ｇフェムトエリアに存在するＵＥから音声発信があったときに３Ｇフェムト網へＣＳＦＢする処理を説明するためのシーケンス図である。
【図６Ｂ】図１に示した通信システムにおける通信方法のうち、３Ｇフェムトエリアに存在するＵＥから音声発信があったときに３Ｇフェムト網へＣＳＦＢする処理を説明するためのシーケンス図である。
【図７】図１に示した通信システムにおける通信方法のうち、３Ｇエリアに存在するＵＥから音声発信があったときに３Ｇ網へＣＳＦＢする処理を説明するためのシーケンス図である。
【図８Ａ】図１に示した通信システムにおける通信方法のうち、３Ｇフェムトエリアに存在するＵＥへ音声着信があったときに３Ｇフェムト網へＣＳＦＢする処理を説明するためのシーケンス図である。
【図８Ｂ】図１に示した通信システムにおける通信方法のうち、３Ｇフェムトエリアに存在するＵＥへ音声着信があったときに３Ｇフェムト網へＣＳＦＢする処理を説明するためのシーケンス図である。
【図８Ｃ】図１に示した通信システムにおける通信方法のうち、３Ｇフェムトエリアに存在するＵＥへ音声着信があったときに３Ｇフェムト網へＣＳＦＢする処理を説明するためのシーケンス図である。
【図９Ａ】図１に示した通信システムにおける通信方法のうち、３Ｇエリアに存在するＵＥへ音声着信があったときに３Ｇ網へＣＳＦＢする処理を説明するためのシーケンス図である。
【図９Ｂ】図１に示した通信システムにおける通信方法のうち、３Ｇエリアに存在するＵＥへ音声着信があったときに３Ｇ網へＣＳＦＢする処理を説明するためのシーケンス図である。
【発明を実施するための形態】
【００１４】
以下に、本発明の実施の形態について図面を参照して説明する。
【００１５】
図１は、本発明の通信システムの実施の一形態を示す図である。
【００１６】
本形態における通信システムには図１に示すように、ＬＴＥ機能を具備するＵＥ（Ｕｓｅｒ  Ｅｑｕｉｐｍｅｎｔ）１００と、３Ｇフェムトエリア１０１を通信エリアとする無線基地局である３Ｇ−ＦＡＰ（Ｆｅｍｔｏ  Ａｃｃｅｓｓ  Ｐｏｉｎｔ）１０４と、ＰＤＧ（Ｐａｃｋｅｔ  Ｄａｔａ  Ｇａｔｅｗａｙ）１０５と、ＡＡＡ（Ａｕｔｈｅｎｔｉｃａｔｉｏｎ  Ａｕｔｈｏｒｉｚａｔｉｏｎ  Ａｃｃｏｕｎｔｉｎｇ）１０６と、ＨＳＳ（Ｈｏｍｅ  Ｓｕｂｓｃｒｉｂｅｒ  Ｓｅｒｖｅｒ）（ＶＬＲ（Ｖｉｓｉｔｏｒｓ  Ｌｏｃａｔｉｏｎ  Ｒｅｇｉｓｔｅｒ））１０７と、Ｐ−ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）１０８と、Ｓ−ＣＳＣＦ（Ｓｅｒｖｉｎｇ  Ｃａｌｌ  Ｓｅｓｓｉｏｎ  Ｃｏｎｔｒｏｌ  Ｆｕｎｃｔｉｏｎ）１０９と、ＭＧＣＦ（Ｍｅｄｉａ  Ｇａｔｅｗａｙ  Ｃｏｎｔｒｏｌ  Ｆｕｎｃｔｉｏｎ）１１０と、ＬＴＥエリア１０３を通信エリアとするＨｅＮＢ（Ｈｏｍｅ  ｅｖｏｌｖｅｄ  ＮｏｄｅＢ）１１１と、ＭＭＥ（Ｍｏｂｉｌｉｔｙ  Ｍａｎａｇｅｍｅｎｔ  Ｅｎｔｉｔｙ）１１２と、ＳＧＷ（Ｓｅｒｖｉｎｇ  ＧａｔｅＷａｙ）１１３と、３Ｇエリア１０２を通信エリアとするＮＢ（ＮｏｄｅＢ）１１４と、ＲＮＣ（Ｒａｄｉｏ  Ｎｅｔｗｏｒｋ  Ｃｏｎｔｒｏｌｌｅｒ）１１５と、ＭＳＣ（Ｍｏｂｉｌｅ  Ｓｗｉｔｃｈｉｎｇ  Ｃｅｎｔｅｒ）１１６と、ＳＧＳＮ（Ｓｅｒｖｉｎｇ  ＧＰＲＳ  Ｓｕｐｐｏｒｔ  Ｎｏｄｅ）１１７と、ＧＭＳＣ（Ｇａｔｅｗａｙ  Ｍｏｂｉｌｅ−ｓｅｒｖｉｃｅｓ  Ｓｗｉｔｃｈｉｎｇ  Ｃｅｎｔｅｒ）１１８と、ＨＬＲ（Ｈｏｍｅ  Ｌｏｃａｔｉｏｎ  Ｒｅｇｉｓｔｅｒ）１１９と、ＨＳＳ１２０とから構成されている。
【００１７】
ＵＥ１００は、３Ｇ機能とＬＴＥ機能とを具備する３Ｇ／ＬＴＥデュアル端末である。
【００１８】
また、ＮＢ１１４と、ＲＮＣ１１５と、交換機であるＭＳＣ１１６と、ＳＧＳＮ１１７と、ＧＭＳＣ１１８と、ＨＬＲ１１９とから、３Ｇ網を構成する。これらの構成要素の処理動作は、既存のものと同じである。
【００１９】
また、ＨｅＮＢ１１１と、ＭＭＥ１１２と、ＳＧＷ１１３と、ＨＳＳ１２０とからＬＴＥアクセス網を構成する。ＨｅＮＢ１１１、ＳＧＷ１１３およびＨＳＳ１２０の処理動作は、既存のものと同じである。また、ＬＴＥアクセス網には、ｅＮＢ（ｅｖｏｌｖｅｄ  ＮｏｄｅＢ）も含まれる。ＬＴＥアクセス網のコントロールノードであるＭＭＥ１１２は、３Ｇ網の交換機であるＭＳＣ１１６との間で、回線交換切り替えを行う切り替えインタフェースであるＳＧｓインタフェースを持ち、ＭＭＥ１１２からＭＳＣ１１６へ、音声発信や音声着信の回線交換切り替え（ＣＳＦＢ）を行う。また、ＭＭＥ１１２は、Ｓ−ＣＳＣＦ１０９との間で、ＳＩＰのプロトコルを用いて、上述したＳＧｓインタフェースをシミュレートし、ＭＭＥ１１２からＳ−ＣＳＣＦ１０９へ、音声発信や音声着信の回線交換切り替え（ＣＳＦＢ）を行う。
【００２０】
また、３Ｇ−ＦＡＰ１０４と、ＰＤＧ１０５と、ＡＡＡ１０６と、ＨＳＳ（ＶＬＲ）１０７と、Ｐ−ＣＳＣＦ１０８と、Ｓ−ＣＳＣＦ１０９と、ＭＧＣＦ１１０とから３Ｇフェムト網を構成する。また、ＰＤＧ１０５と、ＡＡＡ１０６と、ＨＳＳ（ＶＬＲ）１０７と、Ｐ−ＣＳＣＦ１０８と、Ｓ−ＣＳＣＦ１０９と、ＭＧＣＦ１１０とからＩＭＳ（ＩＰ  Ｍｕｌｔｉｍｅｄｉａ  Ｓｕｂｓｙｓｔｅｍ）を構成する。
【００２１】
３Ｇ−ＦＡＰ１０４は、半径数十メートルの３Ｇフェムトエリア１０１を通信エリアとする小型の無線基地局（フェムトセル用基地局）である。
【００２２】
ＰＤＧ１０５は、メッセージをセキュアに中継する通信装置である。
【００２３】
ＡＡＡ１０６は、ＵＥ１００が３Ｇフェムトエリア１０１に存在する場合、ＵＥ１００と３Ｇフェムト網との間の認証処理を行う装置である。
【００２４】
ＨＳＳ(ＶＬＲ)１０７は、ＵＥ１００の加入者情報を格納・管理する装置である。
【００２５】
Ｐ−ＣＳＣＦ１０８、Ｓ−ＣＳＣＦ１０９は、ＳＩＰ登録サーバとして、ＨＳＳ（ＶＬＲ）１０７からダウンロードした加入者情報や利用者の現在位置情報を保持し、ＳＩＰのプロトコルを制御するＳＩＰサーバである。
【００２６】
ＭＧＣＦ１１０は、Ｓ−ＣＳＣＦ１０９と、上位装置であるＧＭＳＣ１１８とを接続するゲートウェイ装置である。
【００２７】
図１に示した形態では、本発明のＬＴＥ網から３Ｇフェムト網へのＣＳＦＢをＭＭＥ１１２で実現する例を示している。
【００２８】
図２は、図１に示したＭＭＥ１１２およびＰ−ＣＳＣＦ１０８の内部構成の一例を示す図である。なお、図２には、図１に示したＭＭＥ１１２およびＰ−ＣＳＣＦ１０８の内部を構成する構成要素のうち、本発明に関わる要素のみを示した。
【００２９】
図１に示したＭＭＥ１１２には図２に示すように、ＳＧｓ制御部１１１１と、ＳＩＰ制御部１１１２とが設けられている。
【００３０】
ＳＧｓ制御部１１１１は、ＳＧｓインタフェースを制御するインタフェース制御部である。
【００３１】
ＳＩＰ制御部１１１２は、ＳＧｓ制御部１１１１が制御するＳＧｓインタフェースを、ＳＩＰを用いてシミュレートして回線交換切り替えを制御する第１のＳＩＰ制御部である。また、ＳＩＰ制御部１１１２は、回線交換切り替えを行う際、ＳＩＰ制御部１００１との間で回線交換切り替えのための制御情報のメッセージを送受信する。
【００３２】
また、図１に示したＰ−ＣＳＣＦ１０８には図２に示すように、ＳＩＰ制御部１００１が設けられている。
【００３３】
ＳＩＰ制御部１００１は、ＳＩＰを用いて回線交換切り替えを制御する第２のＳＩＰ制御部である。また、ＳＩＰ制御部１００１は、ＳＩＰインタフェースを用いてＳＩＰ制御部１１１２と通信を行う際、ＭＭＥ１１２に対して１台のＭＳＣとして認識させる仮想ＭＳＣ手段を構成する。また、ＳＩＰ制御部１００１は、回線交換切り替えを行う際、ＳＩＰ制御部１１１２との間で回線交換切り替えのための制御情報のメッセージを送受信する。
【００３４】
また、本発明のＬＴＥ網から３Ｇフェムト網へのＣＳＦＢを変換サーバで実現するものであっても良い。
【００３５】
図３は、本発明の通信システムの他の実施の形態を示す図である。
【００３６】
本形態における通信システムには図３に示すように、ＵＥ１００と、３Ｇフェムトエリア１０１を通信エリアとする無線基地局である３Ｇ−ＦＡＰ１０４と、ＰＤＧ１０５と、ＡＡＡ１０６と、ＨＳＳ（ＶＬＲ）１０７と、Ｐ−ＣＳＣＦ１０８と、Ｓ−ＣＳＣＦ１０９と、ＭＧＣＦ１１０と、ＬＴＥエリア１０３を通信エリアとするＨｅＮＢ１１１と、ＭＭＥ１３２と、ＳＧＷ１１３と、３Ｇエリア１０２を通信エリアとするＮＢ１１４と、ＲＮＣ１１５と、ＭＳＣ１１６と、ＳＧＳＮ１１７と、ＧＭＳＣ１１８と、ＨＬＲ１１９と、ＨＳＳ１２０と、変換サーバ１３１とから構成されている。図１に示した符号と同じ符号を付与したものは、図１に示したものと同じ処理動作を行う。
【００３７】
ＭＭＥ１３２は、ＳＧｓインタフェースを制御する。
【００３８】
変換サーバ１３１は、Ｐ−ＣＳＣＦ１０８とＭＭＥ１３２との間に接続され、ＳＧｓインタフェースを、ＳＩＰを用いてシミュレートして回線交換切り替えを制御する。
【００３９】
図４は、図３に示したＭＭＥ１３２、Ｐ−ＣＳＣＦ１０８および変換サーバ１３１の内部構成の一例を示す図である。なお、図４には、図３に示したＭＭＥ１３２、Ｐ−ＣＳＣＦ１０８および変換サーバ１３１の内部を構成する構成要素のうち、本発明に関わる要素のみを示した。
【００４０】
図３に示したＭＭＥ１３２には図４に示すように、ＳＧｓ制御部１１１１が設けられている。ＳＧｓ制御部１１１１は、図２に示したものと同じ処理動作を行う。
【００４１】
また、図３に示した変換サーバ１３１には図４に示すように、ＳＧｓ制御部１３１１と、ＳＩＰ制御部１３１２とが設けられている。
【００４２】
ＳＧｓ制御部１３１１は、ＭＭＥ１３２との間で、ＳＧｓインタフェースを制御するインタフェース制御部である。
【００４３】
ＳＩＰ制御部１３１２は、ＳＧｓ制御部１３１１が制御するＳＧｓインタフェースを、ＳＩＰを用いてシミュレートして回線交換切り替えを制御する。また、ＳＩＰ制御部１３１２は、回線交換切り替えを行う際、ＳＩＰ制御部１００１との間で回線交換切り替えのための制御情報のメッセージを送受信する。
【００４４】
以下に、本発明の通信システムにおける通信方法について説明する。ここでは、ＳＩＰを用いてＳＧｓインタフェースをシミュレートする機能が専用ＧＷ（ＭＭＥ１１２内または変換サーバ１３１）として設けられたものとして説明する。また、情報の送受信で用いられる各信号は、それぞれのプロトコルに準じたものである。
＜位置登録処理＞
図５は、図１に示した通信システムにおける通信方法のうち、ＵＥ１００の位置登録の処理を説明するためのシーケンス図である。
【００４５】
まず、ＵＥ１００は、ＨｅＮＢ１１１へ、ＥＭＭ−Ａｔｔａｃｈ  Ｒｅｑｕｅｓｔを送信することで、位置登録要求を行う（ステップＳ１）。ＥＭＭ−Ａｔｔａｃｈ  Ｒｅｑｕｅｓｔを受信したＨｅＮＢ１１１は、ＭＭＥ１１２へ、Ｓ１ＡＰ−Ｉｎｉｔｉａｌ  ＵＥ  Ｍｅｓｓａｇｅ［ＥＭＭ−Ａｔｔａｃｈ  Ｒｅｑｕｅｓｔ］を送信することで、位置登録要求を行う（ステップＳ２）。
【００４６】
その後、ＭＭＥ１１２が、ＨＳＳ１２０へ、Ｄｉａ−Ｕｐｄａｔｅ  Ｌｏｃａｔｉｏｎ  Ｒｅｑｕｅｓｔを送信することで、位置登録要求を行うと（ステップＳ３）、ＨＬＲ１１９は、ＳＧＳＮ１１７へ、ＭＡＰ−Ｃａｎｃｅｌ  Ｌｏｃａｔｉｏｎ  Ｒｅｑｕｅｓｔを送信することで、加入者情報削除要求を行う（ステップＳ４）。ＭＡＰ−Ｃａｎｃｅｌ  Ｌｏｃａｔｉｏｎ  Ｒｅｑｕｅｓｔを受信したＳＧＳＮ１１７は、自身が持つＶＬＲから加入者情報を削除し、その応答としてＭＡＰ−Ｃａｎｃｅｌ  Ｌｏｃａｔｉｏｎ  ＲｅｓｐｏｎｓｅをＨＬＲ１１９へ送信することで、加入者情報削除応答を行う（ステップＳ５）。すると、ＨＬＲ１１９は、ＭＭＥ１１２へ、Ｄｉａ−Ｕｐｄａｔｅ  Ｌｏｃａｔｉｏｎ  Ａｎｓｗｅｒを送信することで、位置登録応答を行う（ステップＳ６）。
【００４７】
そして、ＭＭＥ１１２が、専用ＧＷへ、ＳＧｓＡＰ−Ｌｏｃａｔｉｏｎ  Ｕｐｄａｔｅ  Ｒｅｑｕｅｓｔを送信することで、位置登録要求を行うと（ステップＳ７）、専用ＧＷは、Ｐ−ＣＳＣＦ１０８へ、ＳＩＰ−ＲＥＧＩＳＴＥＲを送信することで、位置登録要求を行う（ステップＳ８）。
【００４８】
続いて、Ｐ−ＣＳＣＦ１０８が、ＨＳＳ１０７へ、Ｄｉａ−Ｃｘ−ＵＡＲを送信することで、位置登録要求を行うと（ステップＳ９）、ＨＳＳ１０７は位置登録処理を行い、その応答としてＤｉａ−Ｃｘ−ＡＡＲをＰ−ＣＳＣＦ１０８へ送信することで、位置登録応答を行う（ステップＳ１０）。
【００４９】
そして、Ｐ−ＣＳＣＦ１０８は、Ｓ−ＣＳＣＦ１０９へ、ＳＩＰ−ＲＥＧＩＳＴＥＲを送信することで、位置登録要求を行う（ステップＳ１１）。ＳＩＰ−ＲＥＧＩＳＴＥＲを受信したＳ−ＣＳＣＦ１０９は、ＨＳＳ１０７へ、Ｄｉａ−Ｃｘ−ＳＡＲを送信することで、位置登録要求を行う（ステップＳ１２）。すると、ＨＳＳ１０７は、ＨＬＲ１１９へ、ＭＡＰ−Ｕｐｄａｔｅ  Ｌｏｃａｔｉｏｎを送信することで、位置登録要求を行う（ステップＳ１３）。
【００５０】
ＭＡＰ−Ｕｐｄａｔｅ  Ｌｏｃａｔｉｏｎを受信したＨＬＲ１１９は、ＭＳＣ１１６へ、ＭＡＰ−Ｃａｎｃｅｌ  Ｌｏｃａｔｉｏｎ  Ｒｅｑｕｅｓｔを送信することで、加入者情報削除要求を行う（ステップＳ１４）。ＭＡＰ−Ｃａｎｃｅｌ  Ｌｏｃａｔｉｏｎ  Ｒｅｑｕｅｓｔを受信したＭＳＣ１１６は、自身が持つＶＬＲから加入者情報を削除し、その応答としてＭＡＰ−Ｃａｎｃｅｌ  Ｌｏｃａｔｉｏｎ  ＲｅｓｐｏｎｓｅをＨＬＲ１１９へ送信することで、加入者情報削除応答を行う（ステップＳ１５）。
【００５１】
すると、ＨＬＲ１１９は、ＨＳＳ１０７へ、ＭＡＰ−Ｉｎｓｅｒｔ  Ｓｕｂｓｃｒｉｂｅｒ  Ｄａｔａを送信することで、加入者情報登録要求を行う（ステップＳ１６）。ＭＡＰ−Ｉｎｓｅｒｔ  Ｓｕｂｓｃｒｉｂｅｒ  Ｄａｔａを受信したＨＳＳ１０７は、自身のＶＬＲに加入者情報を登録し、その応答としてＭＡＰ−Ｉｎｓｅｒｔ  Ｓｕｂｓｃｒｉｂｅｒ  Ｄａｔａ  ＡｃｋをＨＬＲ１１９へ送信することで、加入者情報登録応答を行う（ステップＳ１７）。
【００５２】
すると、ＨＬＲ１１９は、ステップＳ１３の応答として、ＭＡＰ−Ｕｐｄａｔｅ  Ｌｏｃａｔｉｏｎ  ＡｃｋをＨＳＳ１０７へ送信することで、位置登録応答を行う（ステップＳ１８）。ＭＡＰ−Ｕｐｄａｔｅ  Ｌｏｃａｔｉｏｎ  Ａｃｋを受信したＨＳＳ１０７は、ステップＳ１２の応答として、Ｄｉａ−Ｃｘ−ＳＡＡをＳ−ＣＳＣＦ１０９へ送信することで、位置登録応答を行う（ステップＳ１９）。
【００５３】
すると、Ｓ−ＣＳＣＦ１０９およびＰ−ＣＳＣＦ１０８にて自身のＶＬＲに位置登録がなされ、Ｐ−ＣＳＣＦ１０８は、ステップＳ８の応答として、ＳＩＰ−２００  ＯＫを専用ＧＷへ送信することで、位置登録応答を行う（ステップＳ２０）。
【００５４】
続いて、専用ＧＷが、Ｐ−ＣＳＣＦ１０８へ、ＳＩＰ−ＳＵＢＳＣＲＩＢＥを送信すると、Ｐ−ＣＳＣＦ１０８は、自身のＶＬＲに加入者情報を登録し、その応答としてＳＩＰ−２００  ＯＫを専用ＧＷへ送信し、専用ＧＷが、Ｐ−ＣＳＣＦ１０８へ、ＳＩＰ−ＮＯＴＩＦＹを送信し、Ｐ−ＣＳＣＦ１０８は、その応答としてＳＩＰ−２００  ＯＫを専用ＧＷへ送信することで、加入者情報登録要求（ステップＳ２１）および加入者情報登録応答を行う（ステップＳ２２）。
【００５５】
その後、専用ＧＷは、ＵＥ１００の一時的な識別子であるＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）を割り当てる（ステップＳ２３）。
【００５６】
続いて、専用ＧＷは、ステップＳ７の応答として、ＭＭＥ１１２へ、ＳＧｓＡＰ−Ｌｏｃａｔｉｏｎ  Ｕｐｄａｔｅ  Ａｃｃｅｐｔを送信することで、位置登録応答を行う（ステップＳ２４）。ＳＧｓＡＰ−Ｌｏｃａｔｉｏｎ  Ｕｐｄａｔｅ  Ａｃｃｅｐｔを受信したＭＭＥ１１２は、ステップＳ２の応答として、ＨｅＮＢ１１１へ、Ｓ１ＡＰ−Ｉｎｉｔｉａｌ  Ｃｏｎｔｅｘｔ  Ｓｅｔｕｐ  Ｒｅｑｕｅｓｔ［ＥＭＭ−Ａｔｔａｃｈ  Ａｃｃｅｐｔ］を送信することで、位置登録要求を行う（ステップＳ２５）。
【００５７】
すると、ＨｅＮＢ１１１は、ステップＳ１の応答として、ＵＥ１００へ、ＥＭＭ−Ａｔｔａｃｈ  Ａｃｃｅｐｔを送信することで、位置登録応答を行う（ステップＳ２６）。
【００５８】
その後、ＵＥ１００からＨｅＮＢ１１１へ、ＥＭＭ−Ａｔｔａｃｈ  Ｃｏｍｐｌｅｔｅが送信され、ＨｅＮＢ１１１からＭＭＥ１１２へ、Ｓ１ＡＰ−Ｉｎｉｔｉａｌ  Ｃｏｎｔｅｘｔ  Ｓｅｔｕｐ  Ｒｅｓｐｏｎｓｅが送信され、ＭＭＥ１１２から専用ＧＷへ、ＳＧｓＡＰ−ＴＭＳＩ  Ｒｅｌｏｃａｔｉｏｎ  Ｃｏｍｐｌｅｔｅが送信されることで、位置登録が完了した後、ＭＭＥ１１２のＶＬＲに加入者情報が登録される。
＜ＵＥ１００から音声発信があったときに３Ｇフェムト網へＣＳＦＢする処理＞
図６Ａ、Ｂは、図１に示した通信システムにおける通信方法のうち、３Ｇフェムトエリア１０１に存在するＵＥ１００から音声発信があったときに３Ｇフェムト網へＣＳＦＢする処理を説明するためのシーケンス図である。
【００５９】
まず、３Ｇフェムトエリア１０１に存在するＵＥ１００が、ＨｅＮＢ１１１へ、ＥＭＭ−Ｅｘｔｅｎｄｅｄ  ｓｅｒｖｉｃｅ  Ｒｅｑｕｅｓｔを送信することで、音声発信要求を行うと（ステップＳ３１）、ＨｅＮＢ１１１は、ＭＭＥ１１２へ、Ｓ１ＡＰ−Ｉｎｉｔｉａｌ  ＵＥ  Ｍｅｓｓａｇｅを送信することで、音声発信要求を行う（ステップＳ３２）。Ｓ１ＡＰ−Ｉｎｉｔｉａｌ  ＵＥ  Ｍｅｓｓａｇｅを受信したＭＭＥ１１２は、ＨｅＮＢ１１１へ、Ｓ１ＡＰ−ＵＥ  Ｃｏｎｔｅｘｔ  Ｓｅｔｕｐ  Ｒｅｑｕｅｓｔを送信することで、音声発信応答を行う（ステップＳ３３）。この応答には、迂回識別子として、ＣＳＦａｌｌｂａｃｋ  Ｉｎｄｉｃａｔｏｒが用いられる。
【００６０】
その後、ＨｅＮＢ１１１が、ステップＳ３３の応答として、ＭＭＥ１１２へ、Ｓ１ＡＰ−ＵＥ  Ｃｏｎｔｅｘｔ  Ｓｅｔｕｐ  Ｒｅｓｐｏｎｓｅを送信すると、ＭＭＥ１１２は、ＳＧＷ１１３へ、ＧＴＰｖ２−Ｍｏｄｉｆｙ  Ｂｅａｒｅｒ  Ｒｅｑｕｅｓｔを送信することで、ベアラ情報変更要求を行う（ステップＳ３４）。ＧＴＰｖ２−Ｍｏｄｉｆｙ  Ｂｅａｒｅｒ  Ｒｅｑｕｅｓｔを受信したＳＧＷ１１３は、その応答としてＭＭＥ１１２へＧＴＰｖ２−Ｍｏｄｉｆｙ  Ｂｅａｒｅｒ  Ｒｅｓｐｏｎｓｅを送信することで、ベアラ情報変更応答を行う（ステップＳ３５）。
【００６１】
また、ＨｅＮＢ１１１は、ＭＭＥ１１２へ、Ｓ１ＡＰ−Ｓ１  ＵＥ  Ｃｏｎｔｅｘｔ  Ｒｅｌｅａｓｅ  Ｒｅｑｕｅｓｔを送信することで、セッション解放要求を行う（ステップＳ３６）。Ｓ１ＡＰ−Ｓ１  ＵＥ  Ｃｏｎｔｅｘｔ  Ｒｅｌｅａｓｅ  Ｒｅｑｕｅｓｔを受信したＭＭＥ１１２は、セッションの解放処理を行い、その応答であるＳ１ＡＰ−Ｓ１  ＵＥ  Ｃｏｎｔｅｘｔ  Ｒｅｌｅａｓｅ  ＣｏｍｍａｎｄをＨｅＮＢ１１１へ送信することで、セッション解放応答を行う（ステップＳ３７）。
【００６２】
すると、ＨｅＮＢ１１１は、ＵＥ１００へ、ＲＲＣ  Ｃｏｎｎｅｃｔｉｏｎ  Ｒｅｌｅａｓｅを送信することで、セッション解放要求を行う（ステップＳ３８）。この要求には、迂回識別子として、ＣＳＦａｌｌｂａｃｋ  Ｉｎｄｉｃａｔｏｒが用いられる。ＲＲＣ  Ｃｏｎｎｅｃｔｉｏｎ  Ｒｅｌｅａｓｅを受信したＵＥ１００は、ＨｅＮＢ１１１へ、この応答であるセッション解放応答を行う（ステップＳ３９）。
【００６３】
このステップＳ３１〜Ｓ３９までの手順は、ＣＳＦＢ手順として、３ＧＰＰ  ＴＳ２３．２７２  ｖ１０．６．０にて標準化されている。
【００６４】
また、ＨｅＮＢ１１１は、ステップＳ３７に対して、セッション解放が完了した通知をＳ１ＡＰ−Ｓ１  ＵＥ  Ｃｏｎｔｅｘｔ  Ｒｅｌｅａｓｅ  Ｃｏｍｐｌｅｔｅとして、ＭＭＥ１１２へ送信する。
【００６５】
また、ＵＥ１００は、３Ｇ−ＦＡＰ１０４へ、ＭＭ−ＣＭ  Ｓｅｒｖｉｃｅ  Ｒｅｑｕｅｓｔを送信することで、音声発信要求を行うが（ステップＳ４０）、３Ｇ−ＦＡＰ１０４は、認識できないＵＥであるため、ＵＥ１００へ、ＭＭ−ＣＭ  Ｓｅｒｖｉｃｅ  Ｒｅｊｅｃｔを送信して拒絶する。
【００６６】
その後、ＵＥ１００は、３Ｇ−ＦＡＰへ、ＭＭ−Ｌｏｃａｔｉｏｎ  Ｕｐｄａｔｅ  Ｒｅｑｕｅｓｔを送信することで、位置登録要求を行う（ステップＳ４１）。ＭＭ−Ｌｏｃａｔｉｏｎ  Ｕｐｄａｔｅ  Ｒｅｑｕｅｓｔを受信した３Ｇ−ＦＡＰ１０４が、ＵＥ１００へ、識別子を要求するためにＩＤＥＮＴＩＴＹ  Ｒｅｑｕｅｓｔを送信すると、ＵＥ１００は、その応答として、３Ｇ−ＦＡＰ１０４へ、ＩＤＥＮＴＩＴＹ  Ｒｅｓｐｏｎｓｅを送信して識別子を通知する。
【００６７】
すると、３Ｇ−ＦＡＰ１０４は、ＰＤＧ１０５へ、ＩＫＥ−ＳＡ−ＩＮＩＴ  Ｒｅｑを送信し、ＩＫＥ−ＳＡ−ＩＮＩＴ  Ｒｅｑを受信したＰＤＧ１０５は、３Ｇ−ＦＡＰ１０４へ、その応答であるＩＫＥ−ＳＡ−ＩＮＩＴ  Ｒｅｓを送信する。そして、３Ｇ−ＦＡＰ１０４は、ＰＤＧ１０５へ、ＩＫＥ−ＡＵＴＨ  Ｒｅｑを送信することで、認証要求を行う（ステップＳ４２）。ＩＫＥ−ＡＵＴＨ  Ｒｅｑを受信したＰＤＧ１０５は、ＡＡＡ１０６へ、Ｄｉａ−ＥＡＰ−Ｒｅｑを送信することで、認証要求を行う（ステップＳ４３）。そして、Ｄｉａ−ＥＡＰ−Ｒｅｑを受信したＡＡＡ１０６が、ＨＳＳ１０７へ、Ｄｉａ−Ｗｘ−ＭＡＲを送信することで、認証要求を行うと（ステップＳ４４）、Ｄｉａ−Ｗｘ−ＭＡＲを受信したＨＳＳ１０７は、ＨＬＲ１１９へ、認証情報としてＭＡＰ−Ｓｅｎｄ  Ａｕｔｈｅｎｔｉｃａｔｉｏｎ  Ｉｎｆｏを送信することで認証要求を行う（ステップＳ４５）。
【００６８】
ＭＡＰ−Ｓｅｎｄ  Ａｕｔｈｅｎｔｉｃａｔｉｏｎ  Ｉｎｆｏを受信したＨＬＲ１１９は、その応答として、ＨＳＳ１０７へ、ＭＡＰ−Ｓｅｎｄ  Ａｕｔｈｅｎｔｉｃａｔｉｏｎ  Ｉｎｆｏ  ａｃｋを送信することで、認証応答を行う（ステップＳ４６）。そして、ＭＡＰ−Ｓｅｎｄ  Ａｕｔｈｅｎｔｉｃａｔｉｏｎ  Ｉｎｆｏ  ａｃｋを受信したＨＳＳ１０７は、ステップＳ４４の応答として、ＡＡＡ１０６へ、Ｄｉａ−Ｗｘ−ＭＡＡを送信することで、認証応答を行う（ステップＳ４７）。すると、Ｄｉａ−Ｗｘ−ＭＡＡを受信したＡＡＡ１０６は、ステップＳ４３の応答として、ＰＤＧ１０５へ、Ｄｉａ−ＥＡＰ−Ａｎｓを送信することで、認証応答を行う（ステップＳ４８）。Ｄｉａ−ＥＡＰ−Ａｎｓを受信したＰＤＧ１０５は、ステップＳ４２の応答として、３Ｇ−ＦＡＰ１０４へ、ＩＫＥ−ＡＵＴＨ  Ｒｅｓを送信することで、認証応答を行う（ステップＳ４９）。
【００６９】
そして、認証手順が実施される（ステップＳ５０）。
【００７０】
その後、３Ｇ−ＦＡＰ１０４がＰ−ＣＳＣＦ１０８へ、ＳＩＰ−ＲＥＧＩＳＴＥＲを送信することで、位置登録要求を行うと（ステップＳ５１）、Ｐ−ＣＳＣＦ１０８は、ＨＳＳ１０７へ、Ｄｉａ−Ｃｘ−ＵＡＲを送信することで、位置登録要求を行う（ステップＳ５２）。すると、ＨＳＳ１０７は、その応答として、Ｐ−ＣＳＣＦ１０８へ、Ｄｉａ−Ｃｘ−ＵＡＡを送信することで、位置登録応答を行う（ステップＳ５３）。
【００７１】
すると、Ｐ−ＣＳＣＦ１０８は、Ｓ−ＣＳＣＦ１０９へ、ＳＩＰ−ＲＥＧＩＳＴＥＲを送信することで、位置登録要求を行う（ステップＳ５４）。ＳＩＰ−ＲＥＧＩＳＴＥＲを受信したＳ−ＣＳＣＦ１０９は、ＨＳＳ１０７へ、Ｄｉａ−Ｃｘ−ＳＡＲを送信することで、位置登録要求を行う（ステップＳ５５）。
【００７２】
続いて、Ｄｉａ−Ｃｘ−ＳＡＲを受信したＨＳＳ１０７は、ＨＬＲ１１９へ、ＭＡＰ−Ｕｐｄａｔｅ  Ｌｏｃａｔｉｏｎを送信することで、位置登録要求を行う（ステップＳ５６）。
【００７３】
すると、ＨＬＲ１１９は、ＨＳＳ１０７へ、加入者情報をＭＡＰ−Ｉｎｓｅｒｔ  Ｓｕｂｓｃｒｉｂｅｒ  Ｄａｔａを用いて送信することで、加入者情報登録を行う（ステップＳ５７）。加入者情報の登録（作成）を行ったＨＳＳ１０７は、その応答として、ＨＬＲ１１９へ、ＭＡＰ−Ｉｎｓｅｒｔ  Ｓｕｂｓｃｒｉｂｅｒ  Ｄａｔａ  ａｃｋを送信することで、加入者情報作成応答を行う（ステップＳ５８）。
【００７４】
そして、ＨＬＲ１１９は、ステップＳ５６の応答として、ＨＳＳ１０７へ、ＭＡＰ−Ｕｐｄａｔｅ  Ｌｏｃａｔｉｏｎ  ａｃｋを送信することで、位置登録応答を行う（ステップＳ５９）。ＭＡＰ−Ｕｐｄａｔｅ  Ｌｏｃａｔｉｏｎ  ａｃｋを受信したＨＳＳ１０７は、ステップＳ５５の応答として、Ｓ−ＣＳＣＦ１０９へ、Ｄｉａ−Ｃｘ−ＳＡＡを送信することで、位置登録応答を行う（ステップＳ６０）。
【００７５】
すると、Ｄｉａ−Ｃｘ−ＳＡＡを受信したＳ−ＣＳＣＦ１０９は、ステップＳ５４の応答として、Ｐ−ＣＳＣＦ１０８へ、ＳＩＰ−２００  ＯＫを送信することで、位置登録応答を行う（ステップＳ６１）。ＳＩＰ−２００  ＯＫを受信したＰ−ＣＳＣＦ１０８は、ステップＳ５１の応答として、３Ｇ−ＦＡＰ１０４へ、ＳＩＰ−２００  ＯＫを送信することで、位置登録応答を行う（ステップＳ６２）。
【００７６】
そして、３Ｇ−ＦＡＰ１０４は、ＵＥ１００へ、ＳｅｃｕｒｉｔｙＭｏｄｅ  Ｃｏｍｍａｎｄを送信することで、位置登録応答を行う（ステップＳ６３）。また、ＳｅｃｕｒｉｔｙＭｏｄｅ  Ｃｏｍｍａｎｄを受信したＵＥ１００は、３Ｇ−ＦＡＰ１０４へＳｅｃｕｒｉｔｙＭｏｄｅ  Ｃｏｍｐｌｅｔｅを送信する。
【００７７】
また、Ｓ−ＣＳＣＦ１０９は、Ｐ−ＣＳＣＦ１０８へ、ＳＩＰ−ＮＯＴＩＦＹを送信することで、加入者情報削除要求を行う（ステップＳ６４）。ＳＩＰ−ＮＯＴＩＦＹを受信したＰ−ＣＳＣＦ１０８は、専用ＧＷへ、ＳＩＰ−ＮＯＴＩＦＹを送信することで、加入者情報削除要求を行う（ステップＳ６５）。
【００７８】
すると、専用ＧＷは、その応答として、Ｐ−ＣＳＣＦ１０８へ、ＳＩＰ−２００  ＯＫを送信することで、加入者情報削除応答を行う（ステップＳ６６）。ＳＩＰ−２００  ＯＫを受信したＰ−ＣＳＣＦ１０８は、自身が持つＶＬＲから加入者情報を削除し、Ｓ−ＣＳＣＦ１０９へ、ＳＩＰ−２００  ＯＫを送信することで、加入者情報削除応答を行う（ステップＳ６７）。
【００７９】
その後、３Ｇ−ＦＡＰ１０４から、Ｐ−ＣＳＣＦ１０８およびＳ−ＣＳＣＦ１０９を介してＳＭＧＷへ、端末認証要求が行われる（ステップＳ６８）。すると、ＳＭＧＷは、ＨＳＳ１０７へ、端末認証要求を行う（ステップＳ６９）。端末認証を要求されたＨＳＳ１０７は、ＥＩＲへ端末認証要求を行う（ステップＳ７０）。すると、ＥＩＲは、ＨＳＳ１０７へ、その応答として端末認証応答を行う（ステップＳ７１）。端末認証が応答されたＨＳＳ１０７は、ステップＳ６９の応答として、ＳＭＧＷへ端末認証応答を行う（ステップＳ７２）。すると、ＳＭＧＷは、ステップＳ６８の応答として、３Ｇ−ＦＡＰ１０４へ、端末認証応答を行う（ステップＳ７３）。これらの要求および応答は、ＳＩＰ−ＳＵＢＳＣＲＩＢＥ、ＳＩＰ−２００ＯＫ、ＳＩＰ−ＮＯＴＩＦＹ、ＳＩＰ−ＭＥＳＳＡＧＥ（Ｃｈｅｃｋ  ＩＭＥＩ、Ｃｈｅｃｋ  ＩＭＥＩ  Ａｃｃｅｐｔ）、ＩＭＥＩ  ｉｎｖ、ＭＡＰ−ＣｈｅｃｋＩＭＥＩ  ｉｎｖ、ＭＡＰ−ＣｈｅｃｋＩＭＥＩ  ａｃｋ、ＩＭＥＩ  ｒｅｓ、ＳＩＰ−２０２  Ａｃｃｅｐｔの信号を用いて行われる。
【００８０】
そして、３Ｇ−ＦＡＰ１０４は、ＵＥ１００へ、ＭＭ−Ｌｏｃａｔｉｏｎ  Ｕｐｄａｔｅ  Ａｃｃｅｐｔを送信することで、位置登録応答を行う（ステップＳ７４）。すると、ＵＥ１００が、３Ｇ−ＦＡＰ１０４へ、ＭＭ−ＴＭＳＩ  Ｒｅａｌｌｏｃａｔｉｏｎ  Ｃｏｍｐｌｅｔｅを送信することで、位置登録が完了する。
【００８１】
その後、ＵＥ１００が、３Ｇ−ＦＡＰ１０４へ、ＭＭ−ＣＭ  Ｓｅｒｖｉｃｅ  Ｒｅｑｕｅｓｔを送信することで、発信要求が行われると（ステップＳ７５）、３Ｇ−ＦＡＰ１０４は、ＵＥ１００へ、ＲＲＣ−Ｓｅｃｕｒｉｔｙ  Ｍｏｄｅ  Ｃｏｍｍａｎｄを送信する。すると、ＵＥ１００は、３Ｇ−ＦＡＰ１０４へ、ＲＲＣ−Ｓｅｃｕｒｉｔｙ  Ｍｏｄｅ  Ｃｏｍｐｌｅｔｅを送信する。そして、ＵＥ１００は、３Ｇ−ＦＡＰ１０４へ、ＣＣ−ＳＥＴＵＰを送信すると、３Ｇ−ＦＡＰ１０４は、Ｐ−ＣＳＣＦ１０８へ、ＳＩＰ−ＩＮＶＩＴＥを送信することで、発信要求を行う（ステップＳ７６）。
【００８２】
続いて、ＳＩＰ−ＩＮＶＩＴＥを受信したＰ−ＣＳＣＦ１０８は、Ｓ−ＣＳＣＦ１０９へ、ＳＩＰ−ＩＮＶＩＴＥを送信することで、発信要求を行うステップＳ７７）。ＳＩＰ−ＩＮＶＩＴＥを受信したＳ−ＣＳＣＦ１０９は、ＭＧＣＦ１１０へ、ＳＩＰ−ＩＮＶＩＴＥを送信することで、発信要求を行う（ステップＳ７８）。
【００８３】
すると、ＭＧＣＦ１１０は、Ｓ−ＣＳＣＦ１０９へ、ＳＩＰ−１００  ＴｒｙｉｎｇおよびＳＩＰ−１８３  Ｓｅｓｓｉｏｎ／Ｐｒｏｇｒｅｓｓ／ＳＤＰを送信することで、発信応答が行われる（ステップＳ７９）。ＳＩＰ−１８３  Ｓｅｓｓｉｏｎ／Ｐｒｏｇｒｅｓｓ／ＳＤＰを受信したＳ−ＣＳＣＦ１０９は、Ｐ−ＣＳＣＦ１０８へ、ＳＩＰ−１００  ＴｒｙｉｎｇおよびＳＩＰ−１８３  Ｓｅｓｓｉｏｎ／Ｐｒｏｇｒｅｓｓ／ＳＤＰを送信することで、発信応答が行われる（ステップＳ８０）。また、ＳＩＰ−１８３  Ｓｅｓｓｉｏｎ／Ｐｒｏｇｒｅｓｓ／ＳＤＰを受信したＰ−ＣＳＣＦ１０８は、３Ｇ−ＦＡＰ１０４へ、ＳＩＰ−１００  ＴｒｙｉｎｇおよびＳＩＰ−１８３  Ｓｅｓｓｉｏｎ／Ｐｒｏｇｒｅｓｓ／ＳＤＰを送信することで、発信応答が行われる（ステップＳ８１）。そして、３Ｇ−ＦＡＰ１０４は、ＵＥ１００へＣＣ−ＰＲＯＧ（ＰＩ＝１）を送信し、Ｐ−ＣＳＣＦ１０８およびＳ−ＣＳＣＦ１０９を介してＭＧＣＦ１１０へ、ＳＩＰ−ＰＲＡＣＫを送信する。それに対して、ＭＧＣＦ１１０は、Ｓ−ＣＳＣＦ１０９およびＰ−ＣＳＣＦ１０８を介して３Ｇ−ＦＡＰ１０４へ、ＳＩＰ−２００ＯＫを送信する。すると、３Ｇ−ＦＡＰ１０４は、Ｐ−ＣＳＣＦ１０８およびＳ−ＣＳＣＦ１０９を介してＭＧＣＦ１１０へ、ＳＩＰ−ＵＰＤＡＴＥ／ＳＤＰを送信する。それに対して、ＭＧＣＦ１１０は、Ｓ−ＣＳＣＦ１０９およびＰ−ＣＳＣＦ１０８を介して３Ｇ−ＦＡＰ１０４へ、ＳＩＰ−２００ＯＫを送信する。
【００８４】
そして、ＭＧＣＦ１１０は、ＧＭＳＣ１１８へ、ＩＡＭを送信することで、発信要求を行う（ステップＳ８２）。
【００８５】
その後、通常の３Ｇ−Ｆｅｍｔｏの発信手順が実施される。
＜ＵＥ１００から音声発信があったときに３Ｇ網へＣＳＦＢする処理＞
図７は、図１に示した通信システムにおける通信方法のうち、３Ｇエリア１０２に存在するＵＥ１００から音声発信があったときに３Ｇ網へＣＳＦＢする処理を説明するためのシーケンス図である。
【００８６】
まず、３Ｇエリア１０２に存在するＵＥ１００が、ＨｅＮＢ１１１へ、ＥＭＭ−Ｅｘｔｅｎｄｅｄ  ｓｅｒｖｉｃｅ  Ｒｅｑｕｅｓｔを送信することで、音声発信要求を行うと（ステップＳ９１）、ＨｅＮＢ１１１は、ＭＭＥ１１２へ、Ｓ１ＡＰ−Ｉｎｉｔｉａｌ  ＵＥ  Ｍｅｓｓａｇｅを送信することで、音声発信要求を行う（ステップＳ９２）。Ｓ１ＡＰ−Ｉｎｉｔｉａｌ  ＵＥ  Ｍｅｓｓａｇｅを受信したＭＭＥ１１２は、ＨｅＮＢ１１１へ、Ｓ１ＡＰ−ＵＥ  Ｃｏｎｔｅｘｔ  Ｓｅｔｕｐ  Ｒｅｑｕｅｓｔを送信することで、音声発信応答を行う（ステップＳ９３）。この応答には、迂回識別子として、ＣＳＦａｌｌｂａｃｋ  Ｉｎｄｉｃａｔｏｒが用いられる。
【００８７】
その後、ＨｅＮＢ１１１が、ステップＳ９３の応答として、ＭＭＥ１１２へ、Ｓ１ＡＰ−ＵＥ  Ｃｏｎｔｅｘｔ  Ｓｅｔｕｐ  Ｒｅｓｐｏｎｓｅを送信すると、ＭＭＥ１１２は、ＳＧＷ１１３へ、ＧＴＰｖ２−Ｍｏｄｉｆｙ  Ｂｅａｒｅｒ  Ｒｅｑｕｅｓｔを送信することで、ベアラ情報変更要求を行う（ステップＳ９４）。ＧＴＰｖ２−Ｍｏｄｉｆｙ  Ｂｅａｒｅｒ  Ｒｅｑｕｅｓｔを受信したＳＧＷ１１３は、その応答としてＭＭＥ１１２へＧＴＰｖ２−Ｍｏｄｉｆｙ  Ｂｅａｒｅｒ  Ｒｅｓｐｏｎｓｅを送信することで、ベアラ情報変更応答を行う（ステップＳ９５）。
【００８８】
また、ＨｅＮＢ１１１は、ＭＭＥ１１２へ、Ｓ１ＡＰ−Ｓ１  ＵＥ  Ｃｏｎｔｅｘｔ  Ｒｅｌｅａｓｅ  Ｒｅｑｕｅｓｔを送信することで、セッション解放要求を行う（ステップＳ９６）。Ｓ１ＡＰ−Ｓ１  ＵＥ  Ｃｏｎｔｅｘｔ  Ｒｅｌｅａｓｅ  Ｒｅｑｕｅｓｔを受信したＭＭＥ１１２は、セッションの解放処理を行い、その応答であるＳ１ＡＰ−Ｓ１  ＵＥ  Ｃｏｎｔｅｘｔ  Ｒｅｌｅａｓｅ  ＣｏｍｍａｎｄをＨｅＮＢ１１１へ送信することで、セッション解放応答を行う（ステップＳ９７）。
【００８９】
すると、ＨｅＮＢ１１１は、ＵＥ１００へ、ＲＲＣ  Ｃｏｎｎｅｃｔｉｏｎ  Ｒｅｌｅａｓｅを送信することで、セッション解放要求を行う（ステップＳ９８）。この要求には、迂回識別子として、ＣＳＦａｌｌｂａｃｋ  Ｉｎｄｉｃａｔｏｒが用いられる。ＲＲＣ  Ｃｏｎｎｅｃｔｉｏｎ  Ｒｅｌｅａｓｅを受信したＵＥ１００は、ＨｅＮＢ１１１へ、この応答であるセッション解放応答を行う（ステップＳ９９）。また、ＨｅＮＢ１１１は、ＭＭＥ１１２へ、Ｓ１ＡＰ−Ｓ１  ＵＥ  Ｃｏｎｔｅｘｔ  Ｒｅｌｅａｓｅ  Ｃｏｍｐｌｅｔｅを送信することで、セッション解放応答を行う（ステップＳ１００）。
【００９０】
このステップＳ９１〜Ｓ１００までの手順は、ＣＳＦＢ手順として、３ＧＰＰ  ＴＳ２３．２７２  ｖ１０．６．０にて標準化されている。
【００９１】
また、ＵＥ１００は、ＭＳＣ１１６へ、ＭＭ−ＣＭ  Ｓｅｒｖｉｃｅ  Ｒｅｑｕｅｓｔを送信することで、音声発信要求を行うが（ステップＳ１０１）、ＭＳＣ１１６は、認識できないＵＥであるため、ＵＥ１００へ、音声発信応答としてＭＭ−ＣＭ  Ｓｅｒｖｉｃｅ  Ｒｅｊｅｃｔを送信して拒絶する（ステップＳ１０２）。
【００９２】
その後、ＵＥ１００は、ＭＳＣ１１６へ、ＭＭ−Ｌｏｃａｔｉｏｎ  Ｕｐｄａｔｅ  Ｒｅｑｕｅｓｔを送信することで、位置登録要求を行う（ステップＳ１０３）。ＭＭ−Ｌｏｃａｔｉｏｎ  Ｕｐｄａｔｅ  Ｒｅｑｕｅｓｔを受信したＭＳＣ１１６が、ＵＥ１００へ、識別子を要求するためにＩＤＥＮＴＩＴＹ  Ｒｅｑｕｅｓｔを送信すると、ＵＥ１００は、その応答として、ＭＳＣ１１６へ、ＩＤＥＮＴＩＴＹ  Ｒｅｓｐｏｎｓｅを送信して識別子を通知する。
【００９３】
そして、認証手順が実施される（ステップＳ１０４）。
【００９４】
その後、ＭＳＣ１１６は、ＨＬＲ１１９へ、ＭＡＰ−Ｕｐｄａｔｅ  Ｌｏｃａｔｉｏｎを送信することで、位置登録要求を行う（ステップＳ１０５）。すると、ＨＬＲ１１９は、ＨＳＳ１０７へ、ＭＡＰ−Ｃａｎｃｅｌ  Ｌｏｃａｔｉｏｎを送信することで、加入者情報削除要求を行う（ステップＳ１０６）。すると、ＨＳＳ１０７は、Ｓ−ＣＳＣＦ１０９へ、Ｄｉａ−Ｃｘ−ＲＴＲを送信することで、加入者削除要求を行う（ステップＳ１０７）。すると、Ｓ−ＣＳＣＦ１０９は、Ｐ−ＣＳＣＦ１０８へ、加入者情報削除要求を行い、Ｐ−ＣＳＣＦ１０８は、専用ＧＷへ、ＳＩＰ−ＮＯＴＩＦＹを送信することで、加入者削除要求を行う（ステップＳ１０８）。
【００９５】
ＳＩＰ−ＮＯＴＩＦＹを受信した専用ＧＷは、その応答として、Ｐ−ＣＳＣＦ１０８へ、ＳＩＰ−２００ＯＫを送信することで、加入者情報削除応答を行う（ステップＳ１０９）。ＳＩＰ−２００ＯＫを受信したＰ−ＣＳＣＦ１０８は、自身が持つＶＬＲから加入者情報を削除し、Ｓ−ＣＳＣＦ１０９へ加入者情報削除応答を行う。また、Ｐ−ＣＳＣＦ１０８から加入者情報削除応答が行われたＳ−ＣＳＣＦ１０９は、自身が持つＶＬＲから加入者情報を削除し、ＨＳＳ１０７へ、Ｄｉａ−Ｃｘ−ＲＴＡを送信することで、加入者情報削除応答を行う（ステップＳ１１０）。Ｄｉａ−Ｃｘ−ＲＴＡを受信したＨＳＳ１０７は、自身が持つＶＬＲから加入者情報を削除し、ＨＬＲ１１９へ、ステップＳ１０６の応答として、ＭＡＰ−Ｃａｎｃｅｌ  Ｌｏｃａｔｉｏｎ  Ａｃｋを送信することで、加入者情報削除応答を行う（ステップＳ１１１）。
【００９６】
すると、ＨＬＲ１１９は、ＭＳＣ１１６へ、ＭＡＰ−Ｉｎｓｅｒｔ  Ｓｕｂｓｃｒｉｂｅｒ  Ｄａｔａを送信することで、加入者情報登録を行う（ステップＳ１１２）。ＭＳＣ１１６は、自身が持つＶＬＲへの加入者登録処理を行い、ＨＬＲ１１９へ、ステップＳ１１２の応答として、ＭＡＰ−Ｉｎｓｅｒｔ  Ｓｕｂｓｃｒｉｂｅｒ  Ｄａｔａ  Ａｃｋを送信することで、加入者情報登録応答を行う（ステップＳ１１３）。
【００９７】
続いて、ＨＬＲ１１９は、ＭＳＣ１１６へ、ステップＳ１０５の応答として、ＭＡＰ−Ｕｐｄａｔｅ  Ｌｏｃａｔｉｏｎ  Ａｃｋを送信することで、位置登録応答を行う（ステップＳ１１４）。すると、ＭＳＣ１１６へ、ステップＳ１０３の応答として、ＭＭ−Ｌｏｃａｔｉｏｎ  Ｕｐｄａｔｅ  Ａｃｃｅｐｔを送信することで、位置登録応答を行う（ステップＳ１１５）。
【００９８】
その後、ＵＥ１００が、ＭＳＣ１１６へ、ＭＭ−ＣＭ  Ｓｅｒｖｉｃｅ  Ｒｅｑｕｅｓｔを送信することで、音声発信要求を行う（ステップＳ１１６）。すると、ＭＳＣ１１６は、ＵＥ１００へ、ＲＲＣ−Ｓｅｃｕｒｉｔｙ  Ｍｏｄｅ  Ｃｏｍｍａｎｄを送信し、ＵＥ１００は、ＭＳＣ１１６へ、ＲＲＣ−Ｓｅｃｕｒｉｔｙ  Ｍｏｄｅ  Ｃｏｍｐｌｅｔｅを送信する。また、ＵＥ１００は、ＭＳＣ１１６へ、ＣＣ−ＳＥＴＵＰを送信すると、ＭＳＣ１１６は、ＵＥ１００へ、ＣＣ−ＣＡＬＬ  ＰＲＯＣを送信する。
【００９９】
続いて、ＭＳＣ１１６は、ＧＭＳＣ１１８へ、ＩＡＭを送信することで、音声発信要求を行う（ステップＳ１１７）。
【０１００】
その後、通常の３Ｇの発信手順が実施される。
＜ＵＥ１００へ音声着信があったときに３Ｇフェムト網へＣＳＦＢする処理＞
図８Ａ〜Ｃは、図１に示した通信システムにおける通信方法のうち、３Ｇフェムトエリア１０１に存在するＵＥ１００へ音声着信があったときに３Ｇフェムト網へＣＳＦＢする処理を説明するためのシーケンス図である。
【０１０１】
まず、３Ｇフェムトエリア１０１に存在するＵＥ１００への音声着信があると、ＧＭＳＣ１１８は、ＭＧＣＦ１１０へ、ＩＡＭを送信することで、音声着信要求を行う（ステップＳ１２１）。すると、ＭＧＣＦ１１０は、Ｓ−ＣＳＣＦのうちの１つである代表Ｓ−ＣＳＣＦへ、ＳＩＰ−ＩＮＶＩＴＥを送信することで、音声着信要求を行う（ステップＳ１２２）。すると、代表Ｓ−ＣＳＣＦは、ＭＧＣＦ１１０へ、ＳＩＰ−１００  Ｔｒｙｉｎｇを送信する。また、代表Ｓ−ＣＳＣＦは、ＨＳＳ１０７へ、Ｄｉａ−Ｃｘ−ＬＩＲを送信することで、音声着信要求を行うと（ステップＳ１２３）、ＨＳＳ１０７は、代表Ｓ−ＣＳＣＦへ、Ｄｉａ−Ｃｘ−ＬＩＡを送信することで、音声着信応答を行う（ステップＳ１２４）。
【０１０２】
すると、代表Ｓ−ＣＳＣＦは、Ｓ−ＣＳＣＦ１０９へ、ＳＩＰ−ＩＮＶＩＴＥを送信することで、音声着信要求を行う（ステップＳ１２５）。ＳＩＰ−ＩＮＶＩＴＥを受信したＳ−ＣＳＣＦ１０９は、代表Ｓ−ＣＳＣＦへ、ＳＩＰ−１００  Ｔｒｙｉｎｇを送信することで、音声着信応答を行う（ステップＳ１２６）。また、Ｓ−ＣＳＣＦ１０９は、Ｐ−ＣＳＣＦ１０８へ、ＳＩＰ−ＩＮＶＩＴＥを送信することで、音声着信要求を行う（ステップＳ１２７）。ＳＩＰ−ＩＮＶＩＴＥを受信したＰ−ＣＳＣＦ１０８は、Ｓ−ＣＳＣＦ１０９へ、ＳＩＰ−１００  Ｔｒｙｉｎｇを送信することで、音声着信応答を行う（ステップＳ１２８）。
【０１０３】
また、Ｐ−ＣＳＣＦ１０８は、専用ＧＷへ、ＳＩＰ−ＩＮＶＩＴＥを送信することで、音声着信要求を行う（ステップＳ１２９）。ＳＩＰ−ＩＮＶＩＴＥを受信した専用ＧＷは、Ｐ−ＣＳＣＦ１０８へ、ＳＩＰ−１００  Ｔｒｙｉｎｇを送信することで、音声着信応答を行う（ステップＳ１３０）。
【０１０４】
また、専用ＧＷは、ＭＭＥ１１２へ、ＳＧｓＡＰ−Ｐａｇｉｎｇ  Ｒｅｑｕｅｓｔを送信することで、音声着信要求を行う（ステップＳ１３１）。ここで用いるＳｅｒｖｉｃｅ  ｉｎｄｉｃａｔｏｒは、ＣＳ  ｃａｌｌ  ｉｎｄｉｃａｔｏｒである。ＳＧｓＡＰ−Ｐａｇｉｎｇ  Ｒｅｑｕｅｓｔを受信したＭＭＥ１１２は、ＨｅＮＢ１１１へ、Ｓ１ＡＰ−Ｐａｇｉｎｇを送信することで、音声着信要求を行う（ステップＳ１３２）。すると、ＨｅＮＢ１１１は、ＵＥ１００へ、ＲＲＣ−Ｐａｇｉｎｇを送信することで、音声着信要求を行う（ステップＳ１３３）。
【０１０５】
ここまでの手順が、ＬＴＥエリア１０３に在圏しているＵＥ１００への着信手順である。
【０１０６】
ＲＲＣ−Ｐａｇｉｎｇを受信したＵＥ１００が、ＨｅＮＢ１１１へ、ＥＭＭ−Ｅｘｔｅｎｄｅｄ  ｓｅｒｖｉｃｅ  ｒｅｑｕｅｓｔを送信することで、音声着信要求を行う（ステップＳ１３４）。このときのＳｅｒｖｉｃｅ  ｔｙｐｅは、ｍｏｂｉｌｅ  ｔｅｒｍｉｎａｔｉｎｇ  ＣＳ  ｆａｌｌｂａｃｋである。
【０１０７】
続いて、ＨｅＮＢ１１１は、ＭＭＥ１１２へ、Ｓ１ＡＰ−Ｉｎｉｔｉａｌ  ＵＥ  Ｍｅｓｓａｇｅ［ＥＭＭ−Ｅｘｔｅｎｄｅｄ  ｓｅｒｖｉｃｅ  ｒｅｑｕｅｓｔ］を送信することで、音声着信要求を行う（ステップＳ１３５）。すると、ＭＭＥ１１２は、専用ＧＷへ、ＳＧｓＡＰ−Ｓｅｒｖｉｃｅ  Ｒｅｑｕｅｓｔを送信することで、音声着信要求を行う（ステップＳ１３６）。ここで用いるＳｅｒｖｉｃｅ  ｉｎｄｉｃａｔｏｒは、ＣＳ  ｃａｌｌ  ｉｎｄｉｃａｔｏｒである。
【０１０８】
また、ＭＭＥ１１２は、ＨｅＮＢ１１１へ、Ｓ１ＡＰ−Ｉｎｉｔｉａｌ  Ｃｏｎｔｅｘｔ  Ｓｅｔｕｐ  Ｒｅｑｕｅｓｔを送信することで、音声着信応答を行う（ステップＳ１３７）。ここで用いる識別子は、ＣＳ  ｆａｌｌｂａｃｋ  ｉｎｄｉｃａｔｏｒである。すると、ＨｅＮＢ１１１は、ＭＭＥ１１２へ、Ｓ１ＡＰ−Ｉｎｉｔｉａｌ  Ｃｏｎｔｅｘｔ  Ｓｅｔｕｐ  Ｒｅｓｐｏｎｓｅを送信する。
【０１０９】
続いて、ＭＭＥ１１２は、ＳＧＷ１１３へ、ＧＴＰｖ２−Ｍｏｄｉｆｙ  Ｂｅａｒｅｒ  Ｒｅｑｕｅｓｔを送信することで、ベアラ情報変更要求を行う（ステップＳ１３８）。ＧＴＰｖ２−Ｍｏｄｉｆｙ  Ｂｅａｒｅｒ  Ｒｅｑｕｅｓｔを受信したＳＧＷ１１３は、ＭＭＥ１１２へ、その応答として、ＧＴＰｖ２−Ｍｏｄｉｆｙ  Ｂｅａｒｅｒ  Ｒｅｓｐｏｎｓｅを送信することで、ベアラ情報変更応答を行う（ステップＳ１３９）。
【０１１０】
その後、ＨｅＮＢ１１１は、ＭＭＥ１１２へ、Ｓ１ＡＰ−ＵＥ  Ｃｏｎｔｅｘｔ  Ｒｅｌｅａｓｅ  Ｒｅｑｕｅｓｔを送信することで、セッション解放要求を行うと（ステップＳ１４０）、ＭＭＥ１１２は、ＨｅＮＢ１１へ、Ｓ１ＡＰ−ＵＥ  Ｃｏｎｔｅｘｔ  Ｒｅｌｅａｓｅ  Ｃｏｍｍａｎｄを送信することで、セッション解放応答を行う（ステップＳ１４１）。そして、ＨｅＮＢ１１１は、ＵＥ１００へ、ＲＲＣ−ＲＲＣ  Ｃｏｎｎｅｃｔｉｏｎ  Ｒｅｌｅａｓｅを送信することで、セッション解放要求を行うと（ステップＳ１４２）、ＵＥ１００は、ＨｅＮＢ１１１へ、セッション解放応答を行う（ステップＳ１４３）。また、ＨｅＮＢ１１１は、セッション解放が完了した通知として、ＭＭＥ１１２へ、Ｓ１ＡＰ−ＵＥ  Ｃｏｎｔｅｘｔ  Ｒｅｌｅａｓｅ  Ｃｏｍｐｌｅｔｅを送信する。
【０１１１】
このステップＳ１３５〜Ｓ１４３までの手順は、ＣＳＦＢ手順として、３ＧＰＰ  ＴＳ２３．２７２  ｖ１０．６．０にて標準化されている。
【０１１２】
そして、ＵＥ１００は、３Ｇ−ＦＡＰ１０４へ、ＭＭ−Ｌｏｃａｔｉｏｎ  Ｕｐｄａｔｉｎｇ  Ｒｅｑｕｅｓｔを送信することで、位置登録要求を行う（ステップＳ１４４）。このとき、Ａｄｄｉｔｉｏｎａｌ  ｕｐｄａｔｅ  ｐａｒａｍｅｔｅｒｓのＣＳＭＴを１とする。すると、３Ｇ−ＦＡＰ１０４は、ＰＤＧ１０５に対して、ＵＥ１００の認証要求を行う（ステップＳ１４５）。この認証要求では、３Ｇ−ＦＡＰ１０４が、ＰＤＧ１０５へ、ＩＫＥ−ＳＡ−ＩＮＩＴ  Ｒｅｑを送信し、ＰＤＧ１０５が、３Ｇ−ＦＡＰ１０４へ、ＩＫＥ−ＳＡ−ＩＮＩＴ  Ｒｅｓを送信し、３Ｇ−ＦＡＰ１０４が、ＰＤＧ１０５へ、ＩＫＥ−ＡＵＴＨ  Ｒｅｑを送信することで実現される。
【０１１３】
続いて、ＰＤＧ１０５は、ＡＡＡ１０６へ、Ｄｉａ−ＥＡＰ−Ｒｅｑを送信することで、認証要求を行うと（ステップＳ１４６）、ＡＡＡ１０６は、ＨＳＳ１０７へ、Ｄｉａ−Ｗｘ−ＭＡＲを送信することで、認証要求を行う（ステップＳ１４７）。そして、ＨＳＳ１０７は、ＨＬＲ１１９（ＨＳＳ１２０）へ、ＭＡＰ−Ｓｅｎｄ  Ａｕｔｈｅｎｔｉｃａｔｉｏｎ  Ｉｎｆｏを送信することで、認証要求を行う（ステップＳ１４８）。
【０１１４】
その後、ＨＬＲ１１９（ＨＳＳ１２０）が、ＨＳＳ１０７へ、ＭＡＰ−Ｓｅｎｄ  Ａｕｔｈｅｎｔｉｃａｔｉｏｎ  Ｉｎｆｏ  ａｃｋを送信することで、認証応答を行うと（ステップＳ１４９）、ＨＳＳ１０７は、ＡＡＡ１０６へ、ステップＳ１４７の応答として、Ｄｉａ−Ｗｘ−ＭＡＡを送信することで、認証応答を行う（ステップＳ１５０）。Ｄｉａ−Ｗｘ−ＭＡＡを受信したＡＡＡ１０６は、ＰＤＧ１０５へ、ステップＳ１４６の応答として、Ｄｉａ−ＥＡＰ−Ａｎｓを送信することで、認証応答を行う（ステップＳ１５１）。すると、ＰＤＧ１０５は、３Ｇ−ＦＡＰ１０４へ、ステップＳ１４５の応答として、ＩＫＥ−ＡＵＴＨ  Ｒｅｓを送信することで、認証応答を行う（ステップＳ１５２）。
【０１１５】
そして、認証手順が実施される（ステップＳ１５３）。
【０１１６】
その後、３Ｇ−ＦＡＰ１０４は、Ｐ−ＣＳＣＦ１０８へ、ＳＩＰ−ＲＥＧＩＳＴＥＲを送信することで、位置登録要求を行う（ステップＳ１５４）。ＳＩＰ−ＲＥＧＩＳＴＥＲを受信したＰ−ＣＳＣＦ１０８が、ＨＳＳ１０７へ、Ｄｉａ−Ｃｘ−ＵＡＲを送信することで、位置登録要求を行うと（ステップＳ１５５）、ＨＳＳ１０７は、Ｐ−ＣＳＣＦ１０８へ、その応答として、Ｄｉａ−Ｃｘ−ＵＡＡを送信することで、位置登録応答を行う（ステップＳ１５６）。
【０１１７】
続いて、Ｐ−ＣＳＣＦ１０８は、Ｓ−ＣＳＣＦ１０９へ、ＳＩＰ−ＲＥＧＩＳＴＥＲを送信することで、位置登録要求を行う（ステップＳ１５７）。ＳＩＰ−ＲＥＧＩＳＴＥＲを受信したＳ−ＣＳＣＦ１０９が、ＨＳＳ１０７へ、Ｄｉａ−Ｃｘ−ＳＡＲを送信することで、位置登録要求を行うと（ステップＳ１５８）、ＨＳＳ１０７は、ＨＬＲ１１９（ＨＳＳ１２０）へ、ＭＡＰ−Ｕｐｄａｔｅ  Ｌｏｃａｔｉｏｎを送信することで、位置登録要求を行う（ステップＳ１５９）。
【０１１８】
そして、ＨＬＲ１１９が、ＨＳＳ１０７へ、ＭＡＰ−Ｉｎｓｅｒｔ  Ｓｕｂｓｃｒｉｂｅｒ  Ｄａｔａを送信することで、加入者情報登録を行うと（ステップＳ１６０）、ＨＳＳ１０７は、当該加入者情報の登録処理を行い、ＨＬＲ１１９へ、その応答として、ＭＡＰ−Ｉｎｓｅｒｔ  Ｓｕｂｓｃｒｉｂｅｒ  Ｄａｔａ  Ａｃｋを送信することで、加入者情報登録応答を行う（ステップＳ１６１）。
【０１１９】
続いて、ＨＬＲ１１９が、ＨＳＳ１０７へ、ステップＳ１５９の応答として、ＭＡＰ−Ｕｐｄａｔｅ  Ｌｏｃａｔｉｏｎ  Ａｃｋを送信することで、位置登録応答を行うと（ステップＳ１６２）、ＨＳＳ１０７は、Ｓ−ＣＳＣＦ１０９へ、ステップＳ１５８の応答として、Ｄｉａ−Ｃｘ−ＳＡＡを送信することで、位置登録応答を行う（ステップＳ１６３）。すると、Ｓ−ＣＳＣＦ１０９は、Ｐ−ＣＳＣＦ１０８へ、ステップＳ１５７の応答として、ＳＩＰ−２００ＯＫを送信することで、位置登録応答を行う（ステップＳ１６４）。また、ＳＩＰ−２００ＯＫを受信したＰ−ＣＳＣＦ１０８は、３Ｇ−ＦＡＰ１０４へ、ステップＳ１５４の応答として、ＳＩＰ−２００ＯＫを送信することで、位置登録応答を行う（ステップＳ１６５）。
【０１２０】
また、３Ｇ−ＦＡＰ１０４は、ＵＥ１００へ、ＲＲＣ−Ｓｅｃｕｒｉｔｙ  Ｍｏｄｅ  Ｃｏｍｍａｎｄを送信し、ＵＥ１００は、３Ｇ−ＦＡＰ１０４へ、ＲＲＣ−Ｓｅｃｕｒｉｔｙ  Ｍｏｄｅ  Ｃｏｍｐｌｅｔｅを送信する。
【０１２１】
また、Ｓ−ＣＳＣＦ１０９は、Ｐ−ＣＳＣＦ１０８を介して専用ＧＷへ、ＳＩＰ−ＮＯＴＩＦＹを送信することで、加入者情報削除要求を行うと（ステップＳ１６６）、専用ＧＷは、その応答として、Ｐ−ＣＳＣＦ１０８を介してＳ−ＣＳＣＦ１０９へ、ＳＩＰ−２００ＯＫを送信することで、加入者情報削除応答を行う（ステップＳ１６７）。このとき、Ｐ−ＣＳＣＦ１０８は、自身が持つＶＬＲから加入者情報を削除する。
【０１２２】
その後、Ｓ−ＣＳＣＦ１０９は、Ｐ−ＣＳＣＦ１０８を介して３Ｇ−ＦＡＰ１０４へ、状態通知を行い（ステップＳ１６８）、３Ｇ−ＦＡＰ１０４は、その応答として、Ｐ−ＣＳＣＦ１０８を介してＳ−ＣＳＣＦ１０９へ、状態通知応答を行う（ステップＳ１６９）。この状態通知および状態通知応答については、ＳＩＰの信号である、ＳＩＰ−ＳＵＢＳＣＲＩＢＥ、ＳＩＰ−２００ＯＫおよびＳＩＰ−ＮＯＴＩＦＹが用いられる。
【０１２３】
続いて、３Ｇ−ＦＡＰ１０４は、Ｐ−ＣＳＣＦ１０８およびＳ−ＣＳＣＦ１０９を介してＳＭＧＷへ、ＳＩＰ−ＭＥＳＳＡＧＥを送信することで、端末認証要求を行うと（ステップＳ１７０）、ＳＭＧＷは、ＨＳＳ１０７へ、ＩＭＥＩ  ｉｒｖを送信することで、端末認証要求を行う（ステップＳ１７１）。また、ＳＭＧＷは、３Ｇ−ＦＡＰ１０４へ、ＳＩＰ−２０２  Ａｃｃｅｐｔを送信する。また、ＨＳＳ１０７が、ＨＬＲ１１９へ、ＭＡＰ−Ｃｈｅｃｋ  ＩＭＥＩ  ｉｎｖを送信することで、端末認証要求を行うと（ステップＳ１７２）、ＨＬＲ１１９は、ＨＳＳ１０７へ、その応答として、ＭＡＰ−Ｃｈｅｃｋ  ＩＭＥＩ  ａｃｋを送信することで、端末認証応答を行う（ステップＳ１７３）。すると、ＨＳＳ１０７は、ＳＭＧＷへ、ステップＳ１７１の応答として、ＩＭＥＩ  ｒｅｓを送信することで、端末認証応答を行う（ステップＳ１７４）。そして、ＳＭＧＷは、Ｓ−ＣＳＣＦ１０９およびＰ−ＣＳＣＦ１０８を介して３Ｇ−ＦＡＰ１０４へ、ＳＩＰ−ＭＥＳＳＡＧＥ（ＣｈｅｃｋＩＭＥＩ  ａｃｃｅｐｔ）を送信することで、端末認証応答を行う（ステップＳ１７５）。すると、３Ｇ−ＦＡＰ１０４は、Ｐ−ＣＳＣＦ１０８およびＳ−ＣＳＣＦ１０９を介してＳＭＧＷへ、ＳＩＰ−２００ＯＫを送信する。
【０１２４】
続いて、３Ｇ−ＦＡＰ１０４は、ＵＥ１００へ、ＭＭ−Ｌｏｃａｔｉｏｎ  Ｕｐｄａｔｉｎｇ  Ａｃｃｅｐｔを送信することで、位置登録応答を行う（ステップＳ１７６）。そして、ＵＥ１００は、３Ｇ−ＦＡＰ１０４へ、ＭＭ−ＴＭＳＩ  Ｒｅｌｏｃａｔｉｏｎ  Ｃｏｍｐｌｅｔｅを送信する。
【０１２５】
このステップＳ１４４〜Ｓ１７６の処理が、３Ｇフェムト網への位置登録手順である。
【０１２６】
その後、３Ｇ−ＦＡＰ１０４は、Ｆｏｌｌｏｗ−ｏｎ手順を実施する（ステップＳ１７７）。このとき、３Ｇ−ＦＡＰ１０４は、ＲＲＣを解放しない。
【０１２７】
また、専用ＧＷは、ＳＩＰ−ＮＯＴＩＦＹ受信を契機に、Ｐ−ＣＳＣＦ１０８を介してＳ−ＣＳＣＦ１０９へ、ＳＩＰ−３０１  Ｍｏｖｅｄ  Ｐｅｒｍａｎｅｎｔｌｙを送信することで、迂回指示を行う（ステップＳ１７８）。すると、Ｓ−ＣＳＣＦ１０９は、Ｐ−ＣＳＣＦ１０８を介して専用ＧＷへ、ＳＩＰ−ＡＣＫを送信することで、迂回応答を行う（ステップＳ１７９）。
【０１２８】
続いて、Ｓ−ＣＳＣＦ１０９は、位置登録した３Ｇフェムト網に対して呼処理を転送（リダイレクション）する（ステップＳ１８０）。そして、Ｓ−ＣＳＣＦ１０９が、Ｐ−ＣＳＣＦ１０８へ、ＳＩＰ−ＩＮＶＩＴＥを送信することで、音声着信要求を行うと（ステップＳ１８１）、Ｐ−ＣＳＣＦ１０８は、Ｓ−ＣＳＣＦ１０９へＳＩＰ−１００  Ｔｒｙｉｎｇを送信することで、音声着信応答を行う（ステップＳ１８２）。
【０１２９】
また、３Ｇ−ＦＡＰ１０４は、ＭＭ−Ｌｏｃａｔｉｏｎ  Ｕｐｄａｔｉｎｇ  Ａｃｃｅｐｔよりも前にＳＩＰ−ＩＮＶＩＴＥを受信した場合、ＦＡＰにて待ち合わせを行う（ステップＳ１８３）。
【０１３０】
そして、Ｐ−ＣＳＣＦ１０８が、３Ｇ−ＦＡＰ１０４へ、ＳＩＰ−ＩＮＶＩＴＥを送信することで、音声着信要求を行うと（ステップＳ１８４）、３Ｇ−ＦＡＰ１０４は、Ｐ−ＣＳＣＦ１０８へ、ＳＩＰ−１００  Ｔｒｙｉｎｇを送信することで、音声着信応答を行う（ステップＳ１８５）。
【０１３１】
また、３Ｇ−ＦＡＰ１０４は、ＵＥ１００へ、ＣＣ−ＳＥＴＵＰを送信することで、音声着信要求を行う（ステップＳ１８６）。
【０１３２】
その後、通常の３Ｇ−Ｆｅｍｔｏの着信手順が実施される。
＜ＵＥ１００へ音声着信があったときに３Ｇ網へＣＳＦＢする処理＞
図９Ａ，Ｂは、図１に示した通信システムにおける通信方法のうち、３Ｇエリア１０２に存在するＵＥ１００へ音声着信があったときに３Ｇ網へＣＳＦＢする処理を説明するためのシーケンス図である。
【０１３３】
まず、３Ｇエリア１０２に存在するＵＥ１００への音声着信があると、ＧＭＳＣ１１８は、ＭＧＣＦ１１０へ、ＩＡＭを送信することで、音声着信要求を行う（ステップＳ１９１）。すると、ＭＧＣＦ１１０は、Ｓ−ＣＳＣＦのうちの１つである代表Ｓ−ＣＳＣＦへ、ＳＩＰ−ＩＮＶＩＴＥを送信することで、音声着信要求を行う（ステップＳ１９２）。すると、代表Ｓ−ＣＳＣＦは、ＭＧＣＦ１１０へ、ＳＩＰ−１００  Ｔｒｙｉｎｇを送信することで、音声着信応答を行う（ステップＳ１９３）。また、代表Ｓ−ＣＳＣＦは、ＨＳＳ１０７へ、Ｄｉａ−Ｃｘ−ＬＩＲを送信することで、音声着信要求を行うと（ステップＳ１９４）、ＨＳＳ１０７は、代表Ｓ−ＣＳＣＦへ、Ｄｉａ−Ｃｘ−ＬＩＡを送信することで、音声着信応答を行う（ステップＳ１９５）。
【０１３４】
すると、代表Ｓ−ＣＳＣＦは、Ｓ−ＣＳＣＦ１０９へ、ＳＩＰ−ＩＮＶＩＴＥを送信することで、音声着信要求を行う（ステップＳ１９６）。ＳＩＰ−ＩＮＶＩＴＥを受信したＳ−ＣＳＣＦ１０９は、代表Ｓ−ＣＳＣＦへ、ＳＩＰ−１００  Ｔｒｙｉｎｇを送信することで、音声着信応答を行う（ステップＳ１９７）。また、Ｓ−ＣＳＣＦ１０９は、Ｐ−ＣＳＣＦ１０８へ、ＳＩＰ−ＩＮＶＩＴＥを送信することで、音声着信要求を行う（ステップＳ１９８）。ＳＩＰ−ＩＮＶＩＴＥを受信したＰ−ＣＳＣＦ１０８は、Ｓ−ＣＳＣＦ１０９へ、ＳＩＰ−１００  Ｔｒｙｉｎｇを送信することで、音声着信応答を行う（ステップＳ１９９）。
【０１３５】
また、Ｐ−ＣＳＣＦ１０８は、専用ＧＷへ、ＳＩＰ−ＩＮＶＩＴＥを送信することで、音声着信要求を行う（ステップＳ２００）。ＳＩＰ−ＩＮＶＩＴＥを受信した専用ＧＷは、Ｐ−ＣＳＣＦ１０８へ、ＳＩＰ−１００  Ｔｒｙｉｎｇを送信することで、音声着信応答を行う（ステップＳ２０１）。
【０１３６】
また、専用ＧＷは、ＭＭＥ１１２へ、ＳＧｓＡＰ−Ｐａｇｉｎｇ  Ｒｅｑｕｅｓｔを送信することで、音声着信要求を行う（ステップＳ２０２）。ここで用いるＳｅｒｖｉｃｅ  ｉｎｄｉｃａｔｏｒは、ＣＳ  ｃａｌｌ  ｉｎｄｉｃａｔｏｒである。ＳＧｓＡＰ−Ｐａｇｉｎｇ  Ｒｅｑｕｅｓｔを受信したＭＭＥ１１２は、ＨｅＮＢ１１１へ、Ｓ１ＡＰ−Ｐａｇｉｎｇを送信することで、音声着信要求を行う（ステップＳ２０３）。すると、ＨｅＮＢ１１１は、ＵＥ１００へ、ＲＲＣ−Ｐａｇｉｎｇを送信することで、音声着信要求を行う（ステップＳ２０４）。
【０１３７】
ここまでの手順が、ＬＴＥエリア１０３に在圏しているＵＥ１００への着信手順である。
【０１３８】
ＲＲＣ−Ｐａｇｉｎｇを受信したＵＥ１００が、ＨｅＮＢ１１１へ、ＥＭＭ−Ｅｘｔｅｎｄｅｄ  ｓｅｒｖｉｃｅ  ｒｅｑｕｅｓｔを送信することで、音声着信要求を行う（ステップＳ２０５）。このときのＳｅｒｖｉｃｅ  ｔｙｐｅは、ｍｏｂｉｌｅ  ｔｅｒｍｉｎａｔｉｎｇ  ＣＳ  ｆａｌｌｂａｃｋである。
【０１３９】
続いて、ＨｅＮＢ１１１は、ＭＭＥ１１２へ、Ｓ１ＡＰ−Ｉｎｉｔｉａｌ  ＵＥ  Ｍｅｓｓａｇｅ［ＥＭＭ−Ｅｘｔｅｎｄｅｄ  ｓｅｒｖｉｃｅ  ｒｅｑｕｅｓｔ］を送信することで、音声着信要求を行う（ステップＳ２０６）。すると、ＭＭＥ１１２は、専用ＧＷへ、ＳＧｓＡＰ−Ｓｅｒｖｉｃｅ  Ｒｅｑｕｅｓｔを送信することで、音声着信要求を行う（ステップＳ２０７）。ここで用いるＳｅｒｖｉｃｅ  ｉｎｄｉｃａｔｏｒは、ＣＳ  ｃａｌｌ  ｉｎｄｉｃａｔｏｒである。
【０１４０】
また、ＭＭＥ１１２は、ＨｅＮＢ１１１へ、Ｓ１ＡＰ−Ｉｎｉｔｉａｌ  Ｃｏｎｔｅｘｔ  Ｓｅｔｕｐ  Ｒｅｑｕｅｓｔを送信することで、音声着信要求を行う（ステップＳ２０８）。ここで用いる識別子は、迂回識別子であるＣＳ  ｆａｌｌｂａｃｋ  ｉｎｄｉｃａｔｏｒである。すると、ＨｅＮＢ１１１は、ＭＭＥ１１２へ、Ｓ１ＡＰ−Ｉｎｉｔｉａｌ  Ｃｏｎｔｅｘｔ  Ｓｅｔｕｐ  Ｒｅｓｐｏｎｓｅを送信することで、音声着信応答を行う（ステップＳ２０９）。
【０１４１】
続いて、ＭＭＥ１１２は、ＳＧＷ１１３へ、ＧＴＰｖ２−Ｍｏｄｉｆｙ  Ｂｅａｒｅｒ  Ｒｅｑｕｅｓｔを送信することで、ベアラ情報変更要求を行う（ステップＳ２１０）。ＧＴＰｖ２−Ｍｏｄｉｆｙ  Ｂｅａｒｅｒ  Ｒｅｑｕｅｓｔを受信したＳＧＷ１１３は、ＭＭＥ１１２へ、その応答として、ＧＴＰｖ２−Ｍｏｄｉｆｙ  Ｂｅａｒｅｒ  Ｒｅｓｐｏｎｓｅを送信することで、ベアラ情報変更応答を行う（ステップＳ２１１）。
【０１４２】
その後、ＨｅＮＢ１１１は、ＭＭＥ１１２へ、Ｓ１ＡＰ−ＵＥ  Ｃｏｎｔｅｘｔ  Ｒｅｌｅａｓｅ  Ｒｅｑｕｅｓｔを送信することで、セッション解放要求を行うと（ステップＳ２１２）、ＭＭＥ１１２は、ＨｅＮＢ１１へ、Ｓ１ＡＰ−ＵＥ  Ｃｏｎｔｅｘｔ  Ｒｅｌｅａｓｅ  Ｃｏｍｍａｎｄを送信することで、セッション解放応答を行う（ステップＳ２１３）。そして、ＨｅＮＢ１１１は、ＵＥ１００へ、ＲＲＣ−ＲＲＣ  Ｃｏｎｎｅｃｔｉｏｎ  Ｒｅｌｅａｓｅを送信することで、セッション解放要求を行うと（ステップＳ２１４）、ＵＥ１００は、ＨｅＮＢ１１１へ、セッション解放応答を行う（ステップＳ２１５）。また、ＨｅＮＢ１１１は、セッション解放が完了した通知として、ＭＭＥ１１２へ、Ｓ１ＡＰ−ＵＥ  Ｃｏｎｔｅｘｔ  Ｒｅｌｅａｓｅ  Ｃｏｍｐｌｅｔｅを送信する。
【０１４３】
このステップＳ２０６〜Ｓ２１５までの手順は、ＣＳＦＢ手順として、３ＧＰＰ  ＴＳ２３．２７２  ｖ１０．６．０にて標準化されている。
【０１４４】
そして、ＵＥ１００が、ＭＳＣ１１６へ、ＭＭ−Ｌｏｃａｔｉｏｎ  Ｕｐｄａｔｉｎｇ  Ｒｅｑｕｅｓｔ（このとき、Ａｄｄｉｔｉｏｎａｌ  ｕｐｄａｔｅ  ｐａｒａｍｅｔｅｒｓのＣＳＭＴを１とする）を送信することで、位置登録要求が行われると（ステップＳ２１６）、ＭＳＣ１１６は、ＵＥ１００へ、ＭＭ−Ｉｄｅｎｔｉｔｙ  Ｒｅｑｕｅｓｔを送信することで、識別要求を行う（ステップＳ２１７）。ＭＭ−Ｉｄｅｎｔｉｔｙ  Ｒｅｑｕｅｓｔを受信したＵＥ１００は、ＭＳＣ１１６へ、ＭＭ−Ｉｄｅｎｔｉｔｙ  Ｒｅｓｐｏｎｓｅを送信することで、識別応答を行う（ステップＳ２１８）。
【０１４５】
すると、ＭＳＣ１１６は、ＨＬＲ１１９へ、ＭＡＰ−Ｓｅｎｄ  Ａｕｔｈｅｎｔｉｃａｔｉｏｎ  Ｉｎｆｏを送信することで、ＵＥ１００の認証要求を行う（ステップＳ２１９）。ＭＡＰ−Ｓｅｎｄ  Ａｕｔｈｅｎｔｉｃａｔｉｏｎ  Ｉｎｆｏを受信したＨＬＲ１１９は、その応答として、ＭＳＣ１１６へ、ＭＡＰ−Ｓｅｎｄ  Ａｕｔｈｅｎｔｉｃａｔｉｏｎ  Ｉｎｆｏ  ａｃｋを送信することで、認証応答を行う（ステップＳ２２０）。すると、ＭＳＣ１１６は、ＵＥ１００へ、ＭＭ−Ａｕｔｈｅｎｔｉｃａｔｉｏｎ  Ｒｅｑｕｅｓｔを送信することで、認証要求を行う（ステップＳ２２１）。ＭＭ−Ａｕｔｈｅｎｔｉｃａｔｉｏｎ  Ｒｅｑｕｅｓｔを受信したＵＥ１００は、ＭＳＣ１１６へ、その応答として、ＭＭ−Ａｕｔｈｅｎｔｉｃａｔｉｏｎ  Ｒｅｓｐｏｎｓｅを送信することで、認証応答を行う（ステップＳ２２２）。
【０１４６】
続いて、ＭＳＣ１１６は、ＨＬＲ１１９へ、ＭＡＰ−Ｕｐｄａｔｅ  Ｌｏｃａｔｉｏｎを送信することで、位置登録要求を行う（ステップＳ２２３）。すると、ＨＬＲ１１９は、ＨＳＳ１０７へ、ＭＡＰ−Ｃａｎｃｅｌ  Ｌｏｃａｔｉｏｎを送信することで、加入者情報削除要求を行う（ステップＳ２２４）。そして、ＨＳＳ１０７は、ＨＬＲ１１９へ、ＭＡＰ−Ｃａｎｃｅｌ  Ｌｏｃａｔｉｏｎ  ａｃｋを送信することで、加入者情報削除応答を行う（ステップＳ２２５）。
【０１４７】
その後、ＨＬＲ１１９は、ＭＳＣ１１６へ、ＭＡＰ−Ｉｎｓｅｒｔ  Ｓｕｂｓｃｒｉｂｅｒ  Ｄａｔａを送信することで、加入者情報登録を行う（ステップＳ２２６）。そして、ＭＳＣ１１６は、ＨＬＲ１１９へ、その応答として、ＭＡＰ−Ｉｎｓｅｒｔ  Ｓｕｂｓｃｒｉｂｅｒ  Ｄａｔａ  ａｃｋを送信することで、加入者情報登録応答を行う（ステップＳ２２７）。すると、ＨＬＲ１１９は、ステップＳ２２３の応答として、ＭＳＣ１１６へ、ＭＡＰ−Ｕｐｄａｔｅ  Ｌｏｃａｔｉｏｎ  ａｃｋを送信することで、位置登録応答を行う（ステップＳ２２８）。ＭＡＰ−Ｕｐｄａｔｅ  Ｌｏｃａｔｉｏｎ  ａｃｋを受信したＭＳＣ１１６は、ＵＥ１００へ、ステップＳ２１６の応答として、ＭＭ−Ｌｏｃａｔｉｏｎ  Ｕｐｄａｔｉｎｇ  ａｃｃｅｐｔを送信することで、位置登録応答を行う（ステップＳ２２９）。ＵＥ１００は、ＭＳＣ１１６へ、ＭＭ−ＴＭＳＩ  Ｒｅｌｏｃａｔｉｏｎ  Ｃｏｍｐｌｅｔｅを送信し、ＭＳＣ１１６は自身のＶＬＲに加入者情報を登録する。
【０１４８】
このステップＳ２１６〜Ｓ２２９の処理が、３Ｇ網への位置登録手順である。
【０１４９】
その後、ＨＳＳ１０７が、Ｓ−ＣＳＣＦ１０９へ、Ｄｉａ−Ｃｘ−ＲＴＲを送信することで、加入者情報削除要求を行うと（ステップＳ２３０）、Ｓ−ＣＳＣＦ１０９は、Ｐ−ＣＳＣＦ１０８を介して専用ＧＷへ、ＳＩＰ−ＮＯＴＩＦＹを送信することで、加入者情報削除要求を行う（ステップＳ２３１）。そして、専用ＧＷが、Ｐ−ＣＳＣＦ１０８を介してＳ−ＣＳＣＦ１０９へ、その応答として、ＳＩＰ−２００ＯＫを送信することで、加入者情報削除応答を行うと（ステップＳ２３２）、Ｓ−ＣＳＣＦ１０９は、ステップＳ２３０の応答として、ＨＳＳ１０７へ、Ｄｉａ−Ｃｘ−ＲＴＡを送信することで、加入者情報削除応答を行う（ステップＳ２３３）。これにより、Ｐ−ＣＳＣＦ１０８、Ｓ−ＣＳＣＦ１０９およびＨＳＳ１０７は、自身のＶＬＲから加入者情報を削除する。
【０１５０】
また、専用ＧＷは、ＳＩＰ−ＮＯＴＩＦＹ受信を契機に、Ｐ−ＣＳＣＦ１０８を介してＳ−ＣＳＣＦ１０９へ、ＳＩＰ−３０１  Ｍｏｖｅｄ  Ｐｅｒｍａｎｅｎｔｌｙを送信することで、迂回指示を行う（ステップＳ２３４）。すると、Ｓ−ＣＳＣＦ１０９は、Ｐ−ＣＳＣＦ１０８を介して専用ＧＷへ、ＳＩＰ−ＡＣＫを送信することで、迂回応答を行う（ステップＳ２３５）。
【０１５１】
続いて、Ｓ−ＣＳＣＦ１０９は、位置登録した３Ｇ網に対して呼処理を転送（リダイレクション）する（ステップＳ２３６）。
【０１５２】
ステップＳ２３４〜Ｓ２３６の処理が、３Ｇ網への呼転送（リダイレクション）の処理である。
【０１５３】
そして、Ｓ−ＣＳＣＦ１０９が、ＭＧＣＦ１１０へ、ＳＩＰ−ＩＮＶＩＴＥを送信することで、音声着信要求を行うと（ステップＳ２３７）、ＭＧＣＦ１１０は、Ｓ−ＣＳＣＦ１０９へＳＩＰ−１００  Ｔｒｙｉｎｇを送信することで、音声着信応答を行う（ステップＳ２３８）。
【０１５４】
また、ＭＧＣＦ１１０が、ＧＭＳＣ１１８へ、ＩＡＭを送信することで、音声着信要求を行うと（ステップＳ２３９）、ＧＭＳＣ１１８は、ＨＬＲ１１９へ、ＭＡＰ−Ｓｅｎｄ  Ｒｏｕｔｉｎｇ  Ｉｎｆｏを送信することで、音声着信要求を行う（ステップＳ２４０）。ＭＡＰ−Ｓｅｎｄ  Ｒｏｕｔｉｎｇ  Ｉｎｆｏを受信したＨＬＲ１１９は、ＭＳＣ１１６へ、ＭＡＰ−Ｐｒｏｖｉｄｅ  Ｒｏａｍｉｎｇ  Ｎｕｍｂｅｒを送信することで、音声着信要求を行う（ステップＳ２４１）。すると、ＭＳＣ１１６は、ＨＬＲ１１９へ、その応答として、ＭＡＰ−Ｐｒｏｖｉｄｅ  Ｒｏａｍｉｎｇ  Ｎｕｍｂｅｒ  ａｃｋを送信することで、音声着信応答を行う（ステップＳ２４２）。すると、ＨＬＲ１１９は、ＧＭＳＣ１１８へ、ステップＳ２４０の応答として、ＭＡＰ−Ｓｅｎｄ  Ｒｏｕｔｉｎｇ  Ｉｎｆｏ  ａｃｋを送信することで、音声着信応答を行う（ステップＳ２４３）。
【０１５５】
続いて、ＧＭＳＣ１１８が、ＭＳＣ１１６へ、ＩＡＭを送信することで、音声着信要求を行うと（ステップＳ２４４）、ＭＳＣ１１６は、ＵＥ１００へ、ＣＣ−ＳＥＴＵＰを送信することで、音声着信要求を行う（ステップＳ２４５）。すると、ＵＥ１００は、ＭＳＣ１１６へ、ＣＣ−ＣＡＬＬ  ＣＯＮＦを送信することで、音声着信応答を行う（ステップＳ２４６）。ＣＣ−ＣＡＬＬ  ＣＯＮＦを受信したＭＳＣ１１６は、ＭＧＣＦ１１０へ、音声着信応答を行い（ステップＳ２４７）、ＭＧＣＦ１１０は、ＨＬＲ１１９へ、音声着信応答を行う（ステップＳ２４８）。
【０１５６】
このように、ＬＴＥエリアと３Ｇフェムトエリアとの両エリアに存在する３Ｇ／ＬＴＥデュアル端末に存在する場合、３Ｇ／ＬＴＥデュアル端末からの音声発信または３Ｇ／ＬＴＥデュアル端末への音声着信があった場合、３Ｇ網とＬＴＥ網との間でＣＳＦＢに用いるＳＧｓインタフェースをＳＩＰでシミュレートすることにより、３Ｇ／ＬＴＥデュアル端末からの音声発信、３Ｇ／ＬＴＥデュアル端末への音声着信を３Ｇフェムト網へＣＳＦＢすることができる。
【０１５７】
上記の実施の形態の一部または全部は、以下の付記のようにも記載され得るが、以下には限られない。
（付記１）コントロールノードとｅＮＢとＨｅＮＢとを具備するＬＴＥアクセス網と、ＩＭＳとフェムトセル用基地局とを具備する３Ｇフェムト網とを有する通信システムにおいて、
前記ＩＭＳは、前記コントロールノードとの通信の際に、前記コントロールノードに対して、該ＩＭＳ内のサーバをＭＳＣとして認識させる仮想ＭＳＣ手段を有し、
前記仮想ＭＳＣ手段は、前記ｅＮＢおよび前記ＨｅＮＢと、前記フェムトセル用基地局との間で回線交換切り替えを行う際、前記コントロールノードとの間で前記回線交換切り替えのための制御情報のメッセージを送受信することを特徴とする通信システム。
（付記２）前記仮想ＭＳＣ手段は、所定のプロトコルを用いて、前記ＩＭＳ内のサーバをＭＳＣとして認識させることを特徴とする、付記１に記載の通信システム。
（付記３）前記プロトコルは、ＳＩＰであり、
前記サーバは、ＳＩＰサーバであることを特徴とする、付記２に記載の通信システム。
（付記４）前記コントロールノードは、
前記切り替えインタフェースを制御するインタフェース制御部と、
前記インタフェース制御部が制御する切り替えインタフェースを、前記ＳＩＰを用いて前記回線交換切り替えを制御する第１のＳＩＰ制御部とを有し、
前記ＳＩＰサーバは、前記ＳＩＰを用いて前記回線交換切り替えを制御する第２のＳＩＰ制御部を有することを特徴とする、付記３に記載の通信システム。
（付記５）前記コントロールノードと前記ＳＩＰサーバとは、変換サーバを介して接続され、
前記変換サーバは、
前記コントロールノードとの間で、前記切り替えインタフェースを制御するインタフェース制御部と、
前記ＳＩＰサーバとの間で、前記インタフェース制御部が制御する切り替えインタフェースを、前記ＳＩＰを用いて前記回線交換切り替えを制御するＳＩＰ制御部とを有することを特徴とする、付記３に記載の通信システム。
（付記６）ＬＴＥアクセス網のコントロールノードであって、
３Ｇフェムト網の通信エリアとＬＴＥ網の通信エリアとの両エリアに存在する３Ｇ／ＬＴＥデュアル端末からの音声発信または該３Ｇ／ＬＴＥデュアル端末への音声着信があった場合、３Ｇフェムト網のＩＭＳとの間で、当該コントロールノードから前記ＩＭＳへ回線交換切り替えを行う切り替えインタフェースを制御するインタフェース制御部と、
前記ＩＭＳとの間で、ＳＩＰを用いて前記回線交換切り替えを制御するＳＩＰ制御部とを有するコントロールノード。
（付記７）３Ｇフェムト網の通信エリアとＬＴＥ網の通信エリアとの両エリアに存在する３Ｇ／ＬＴＥデュアル端末からの音声発信または該３Ｇ／ＬＴＥデュアル端末への音声着信があった場合、ＬＴＥアクセス網のコントロールノードとの間で、前記コントロールノードから前記３Ｇフェムト網のＩＭＳへ回線交換切り替えを行う切り替えインタフェースを制御するインタフェース制御部と、
前記ＩＭＳとの間で、ＳＩＰを用いて前記回線交換切り替えを制御するＳＩＰ制御部とを有する変換サーバ。
（付記８）３Ｇフェムト網の通信エリアとＬＴＥ網の通信エリアとの両エリアに存在する３Ｇ／ＬＴＥデュアル端末からの音声発信または該３Ｇ／ＬＴＥデュアル端末への音声着信があったかどうかを判定するステップと、
前記音声発信または前記音声着信があった場合、所定のプロトコルを用いて、ＬＴＥアクセス網のコントロールノードから前記３Ｇフェムト網のＩＭＳへ、前記音声発信または前記音声着信の回線交換切り替えを行うステップとを行う通信方法。
【符号の説明】
【０１５８】
１００    ＵＥ
１０１    ３Ｇフェムトエリア
１０２    ３Ｇエリア
１０３    ＬＴＥエリア
１０４    ３Ｇ−ＦＡＰ
１０５    ＰＤＧ
１０６    ＡＡＡ
１０７    ＨＳＳ（ＶＬＲ）
１０８    Ｐ−ＣＳＣＦ
１０９    Ｓ−ＣＳＣＦ
１１０    ＭＧＣＦ
１１１    ＨｅＮＢ
１１２，１３２    ＭＭＥ
１１３    ＳＧＷ
１１４    ＮＢ
１１５    ＲＮＣ
１１６    ＭＳＣ
１１７    ＳＧＳＮ
１１８    ＧＭＳＣ
１１９    ＨＬＲ
１２０    ＨＳＳ
１３１    変換サーバ
１００１，１１１２，１３１２    ＳＩＰ制御部
１１１１，１３１１    ＳＧｓ制御部
【図１】
0006008390.tif 000002
【図２】
0006008390.tif 000003
【図３】
0006008390.tif 000004
【図４】
0006008390.tif 000005
【図５】
0006008390.tif 000006
【図６Ａ】
0006008390.tif 000007
【図６Ｂ】
0006008390.tif 000008
【図７】
0006008390.tif 000009
【図８Ａ】
0006008390.tif 000010
【図８Ｂ】
0006008390.tif 000011
【図８Ｃ】
0006008390.tif 000012
【図９Ａ】
0006008390.tif 000013
【図９Ｂ】
0006008390.tif 000014